(57)【特許請求の範囲】
【請求項１】
前部と、後部と、前部と後部の間にある股部とを有する使い捨て衣類であって、
トップシートと、このトップシートに接合されたバックシートと、トップシートとバックシートの間に挿入された吸収性コアと、を有しているとともに、ウエスト縁とサイド縁を有する中央パネルと、中央パネルの各々のサイド縁から側面方向に外側に延びていてウエスト縁と脚部縁とを有する耳パネルと、前部及び後部におけるウエストバンドパネルと、を有しており、耳パネルのウエスト縁が第１の側面方向幅を有しているとともに耳パネルの脚部縁が前記第１の側面方向幅よりも大きな第２の側面方向幅を有していて、ウエストバンドパネルが中央パネルのウエスト縁及び耳パネルのウエスト縁から長手方向に外側に延びている、シャシーと；
前部及び後部においてウエストバンドパネルに接合されているとともにウエストバンドパネルに沿って連続的に延びていて、前部及び後部において連続延伸性ウエストバンドを形成するウエストエラストマー材料と；
耳パネルに接合されていて、ウエストエラストマー材料とは別の要素であり、ウエストエラストマー材料とは互いに重なり合わないように配置されており、耳パネルの全体に配置され脚部縁からウエスト縁まで延びていて、延伸性を提供し、延伸性耳部を形成する、サイドエラストマー材料と；そして、
各々の耳パネルを前部と後部における対応部分に接合して２つの脚部開口部と１つのウエスト開口部とを形成し、連続延伸性ウエストバンドが連続延伸性ウエスト部材を形成するシームと、
を備えている、使い捨て衣類。
【請求項２】
ウエストバンドパネルは、実質的非弾性材料を備えており、ウエストエラストマー材料は予備歪が与えられて実質的非弾性材料に接合されており、ウエストエラストマー材料と実質的非弾性材料は機械的ストレッチングに付されて、実質的非弾性材料の長さを越えて延伸しうる延伸性ウエストバンドを形成する、請求項１に記載の使い捨て衣類。
【請求項３】
ウエストエラストマー材料と実質的非弾性材料は、ウエストエラストマー材料が実質的非延伸状態に戻る前に、機械的ストレッチングに付される、請求項２に記載の使い捨て衣類。
【請求項４】
延伸性耳部が、「ゼロ歪」ストレッチラミネートから形成されている、請求項１に記載の使い捨て衣類。
【請求項５】
ウエストエラストマー材料が、２つの別々の要素を備えており、一方の要素は前部においてウエストバンドパネルに接合されており、他方の要素が後部においてウエストバンドパネルに接合されており、これら２つの要素がシームにおいて互いに連結されている、請求項１に記載の使い捨て衣類。
【請求項６】
ウエストエラストマー材料及びサイドエラストマー材料はウエスト開口部と脚部開口部の間に実質的に連続的に配置されており、ウエスト開口部と脚部開口部との間に延びている複合サイドエラストマーネットワークを形成し、複合サイドエラストマーネットワークは単一エラストマー材料の様な延伸性の性質を示す、請求項１に記載の使い捨て衣類。
【請求項７】
バックシートが、内側バリヤーフィルムと不織布外側カバーとを備えており、この不織布外側カバーが、内側バリヤーフィルムの外側に積み重ねられている、請求項１に記載の使い捨て衣類。
【請求項８】
連続延伸性ウエストバンドが、外側カバーの延長部分及びウエストエラストマー材料を備えている、請求項７に記載の使い捨て衣類。
【請求項９】
延伸性耳部は、外側カバーの延長部分及びサイドエラストマー材料を備えている、請求項７に記載の使い捨て衣類。
【請求項１０】
ウエストエラストマー材料が、この衣類の最も内側の表面の内側に積み重ねられている、請求項１に記載の使い捨て衣類。
【発明の詳細な説明】
【０００１】
発明の分野
本発明は使い捨て衣類に関する。このような使い捨て衣類の例には、使い捨て下着、引き上げ装着おむつ及びトレーニングパンツを含む使い捨ておむつ、及び月経用の使い捨てパンティーが含まれる。
【０００２】
発明の背景
乳幼児及びその他の失禁者は、尿及びその他の体の排泄物を受入れて封じ込めるために、使い捨て衣類、例えばおむつを装着している。固定サイド部を有する吸収性衣類(例えばトレーニングパンツ又は引き上げ装着おむつ)は、一般的なものになっている。体の排泄物を封じ込めるため、並びに多様な体型及びサイズに合わせるために、これらの衣類は、胴体の定位置から垂れたり、ずれたり、滑り落ちたりせずに、装着者のウエスト及び脚部の周りでしっかりとフィットしなければならず、また、製品がきつすぎることによって皮膚への刺激を引起すことなく、比較的大きい装着者にもフィットしなければならない。
【０００３】
多くの種類の引き上げ装着衣類には、ウエスト開口部及び脚部開口部において弾性的に収縮しうる状態で固定されている通常の弾性要素が用いられている。例えば「風船(balloon)型」パンツとして知られている引き上げ装着衣類は、この製品の特定のゾーンにおいて弾性化バンドによって収縮されるが、一方で、残りの材料はふくらむ(blouse)傾向がある。このような引き上げ装着衣類の例は、１９９２年１２月１５日に公開された米国特許第５,１７１,２３９号、及び１９８６年９月９日に公開された米国特許第４,６１０,６８１号に開示されている。これらの衣類は、様々なサイズの装着者に合わせるために収縮性弾性開口部が膨張するという事実によって、広い範囲のウエスト及び脚部のサイズにフィットする。それにもかかわらずサイズ範囲は限定されているが、その理由は、サイズにおけるこのバリエーションを可能にする弾性要素が、限定された程度のストレッチしか有していないからである。ウエスト開口部及び脚部開口部に用いられている幅の狭い弾性バンドはまた、フィット力を装着者の体の狭いゾーンに集中させる傾向があるので、装着者の皮膚への紅斑の発生率が増すことになる。
【０００４】
別の種類の引き上げ装着衣類は、ウエスト弾性部及びサイド弾性部を使用している。このような衣類の例は、１９９０年７月１０日に公開された米国特許第４,９４０,４６４号、１９９３年９月２１日に公開された米国特許第５,２４６,４３３号、１９９７年１月７日に公開された米国特許第５,５９１,１５５号、及び１９９３年２月１０日に公開された欧州特許公開第０５２６８６８Ａ１号に開示されている。このような衣類は、これらの衣類の左右両側のサイド弾性部と、ウエスト開口部の一部に沿って延びているウエスト弾性部とを有している。サイド弾性部は、ウエスト開口部と脚部開口部との間に延びるように配置されている。ウエスト弾性部は、左側サイド弾性部と右側サイド弾性部との間において前部ウエストの一部及び後部ウエストの一部のみに延びている。サイド弾性部及びウエスト弾性部は、連続的に延びていない。従ってこれらの衣類は、ウエスト開口部の周りで連続的にストレッチせず、ウエスト開口部の周りの有効延伸性は限定されている。さらにはサイド弾性部がウエスト開口部から脚部開口部まで延びている単一弾性材料を備えているので、サイド弾性部は、ウエスト開口部と脚部開口部との間で均一な延伸性を有するだけである。このことによって、良好な形状フィット衣類を設計する上で、多くの柔軟性を得ることはできない。例えばこのことによって、脚部開口部の周りの延伸特性と、ウエスト開口部の周りの延伸性とを区別するような設計を容易にすることはできない。
【０００５】
ウエスト弾性部とサイド弾性部とを有する引き上げ装着衣類のその他の例は、１９９６年８月１３日に公開された米国特許第５,５４５,１５８号、及び１９９３年６月２３日に公開された欧州特許公開第０５４７４９７Ａ２号に開示されている。米国特許第５,５４５,１５８号に開示された衣類は、この衣類のウエストボーダーに接合された一対の弾性サイドセグメント及び弾性ウエストバンドを有している。弾性ウエストバンドのサイド部分は、弾性サイドセグメントと重なり合っており、弾性サイドセグメントの弾性を実質的には阻害しない。しかしながら弾性サイドセグメントと弾性ウエストバンドとが重なり合っている部分は、かさ張って余分なものになり、ストレッチ性が最も低い材料によって有効ストレッチが制限される。さらには結果として生じるストレッチ力は、重なり合った部位において追加される。さらには、２つの弾性材料が重なり合った部分によって、この衣服を装着者に装着させるためにはより高いストレッチ力が必要とされる。欧州特許公開第０５４７４９７Ａ２号に開示されている衣類は、本質的に同じ構造を有しており、従って米国特許第５,５４５,１５８号に開示されている衣類と同じ欠点を有している。欧州特許公開第０５４７４９７Ａ２号はさらに、この衣類の左右両側において三角形形状のサイド弾性部を備えた衣類を開示している。これは、ウエスト弾性部に隣接して小さくなった端縁を有しており、かつさらにウエスト弾性部と重なり合っているものである。三角形サイド弾性部の幾何学形状によって、この衣類は、脚部開口部とウエスト開口部との間の衣類のサイド部において有意に低下した延伸性の部分を有しており、これによって装着の容易さを低下させ、サイドパネルの一部分において圧力を増し、これは潜在的にフィット範囲を小さくする。
【０００６】
このように、現存する技術のどれも、本発明の長所及び効果のすべてを与えない。
【０００７】
概要
本発明は使い捨て衣類に関する。この使い捨て衣類は、前部と、後部と、前部と後部の間にある股部とを有している。この使い捨て衣類は、シャシーと、ウエストエラストマー材料と、サイドエラストマー材料と、シームと、を備えている。このシャシーは、トップシートと、トップシートに接合されたバックシートと、トップシートとバックシートの間に挿入された吸収性コアとを有している。シャシーは、ウエスト縁とサイド縁を有する中央パネルと、中央パネルの各々のサイド縁から側面方向に外側に延びていてウエスト縁と脚部縁とを有する耳パネルと、前部及び後部におけるウエストバンドパネルと、を有している。耳パネルのウエスト縁が第１の側面方向幅を有しているとともに耳パネルの脚部縁が前記第１の側面方向幅よりも大きな第２の側面方向幅を有している。ウエストバンドパネルは、中央パネルのウエスト縁及び耳パネルのウエスト縁から長手方向に外側に延びている。ウエストエラストマー材料は、前部及び後部においてウエストバンドパネルに接合されているとともにウエストバンドパネルに沿って連続的に延びており、前部及び後部において連続延伸性ウエストバンドを形成する。サイドエラストマー材料は、耳パネルに接合されていて、ウエストエラストマー材料とは別の要素であり、ウエストエラストマー材料とは互いに重なり合わないように配置されており、耳パネルの全体に配置され脚部縁からウエスト縁までのびていて、延伸性を提供し、延伸性耳部を形成する。シームは、耳パネルの各々を前部と後部における対応部分に接合して２つの脚部開口部と１つのウエスト開口部とを形成し、連続延伸性ウエストバンドは連続延伸性ウエスト部材を形成する。
【００１０】
本発明のこれらの特徴及びその他の特徴、側面、及び利点は、本開示を読めば当業者には明らかになるであろう。
【００１１】
詳細な説明
すべての引例は、全体が参照してここに組み込まれる。どの文献の引例も、特許請求する発明に対する先行技術として価値あるものとは認められない。
【００１２】
ここでの「引き上げ装着衣類」とは、画定されたウエスト開口部と、一対の脚部開口部とを有しており、かつ脚を脚部開口部に挿入し、この製品を引き上げてウエストに被せることによって、引っ張って装着者の体に装着される装着用製品のことを言う。ここでの「使い捨て」とは、洗濯されるか、あるいはまた衣類として復元又は再使用されるためのものではない衣類について記載するために用いられている(すなわちこれらは、ただ１回の使用後に捨てられ、好ましくはリサイクルされるか、堆肥にされるか、あるいはまた環境に優しい方法で処分されるためのものである)。「ユニット型(unitary)」引き上げ装着衣類とは、統合されて調和した物体を形成する別々の要素から形成されている引き上げ装着衣類のことを言うが、これらの耳パネルがこの衣類の中央パネル又はシャシーをも形成する少なくとも１つの層によって形成されているという点において、これらの耳パネルは分かれた別のシャシーに接合されている別々の要素ではない(すなわちこの衣類は、別々に操作されるパネル、例えば別々のシャシーと別々の耳パネルとを必要としない)。引き上げ装着衣類はまた、好ましくは体内から排出される様々な排泄物を吸収して封じ込めるために、好ましくは「吸収性」でもある。本発明の引き上げ装着衣類の好ましい実施形態は、ユニット型使い捨て吸収性引き上げ装着衣類、すなわち図１に示されてい引き上げ装着おむつ２０である。ここでの「引き上げ装着おむつ」とは、尿及び大便を吸収して封じ込めるために乳幼児及びその他の失禁者によって一般に装着される引き上げ装着衣類のことを言う。しかしながら本発明はまた、その他の引き上げ装着衣類、例えばトイレットトレーニングパンツ、失禁用ショーツ、女性用衛生衣類又はパンティー等にも適用しうると理解すべきである。ここでの「接合されている」又は「接合している」とは、要素を別の要素に直接付着させることによって１つの要素がもう一方の要素に直接固定されている形状、及びこれ自体がもう一方の要素に付着されている１つ又は複数の中間部材に要素を付着させることによって、要素が間接的にもう一方の要素に固定されている形状をも包含する。
【００１３】
図１と図２と図３を参照すると、引き上げ装着おむつ２０は、前部２６と、後部２８と、前部２６と後部２８の間にある股部３０とを有している。引き上げ装着おむつ２０はまた、２つの中心線、すなわち長手方向中心線１００と横断方向中心線１１０とを有している。ここでの「長手方向」とは、引き上げ装着おむつ２０が装着された時に、立っている装着者を左半身と右半身とに二分する垂直平面と一般に整合する(例えばほぼ平行な)引き上げ装着おむつ２０の平面における線、軸、又は方向のことを言う。ここでの「横断方向」及び「側面方向」は相互交換可能であり、長手方向に一般に垂直なおむつの平面内にある線や軸や方向のことを言う(これは、装着者を前半身と後半身とに二分する)。引き上げ装着おむつ２０及びこれらの要素材料はまた、装着者の皮膚の方に向けられた体側表面と、体側表面に対して反対側表面である外側表面をも有している。
【００１４】
図２は、平らに広げられて非収縮状態にある図１の引き上げ装着おむつ２０の簡略平面図を示しており、これは様々なパネル及び互いに対するこれらの配置を示している。用語「パネル」はここでは、引き上げ装着おむつ又はベルトの１つの区域又は要素を示すために用いられている。(パネルは一般的には異なる区域又は要素であるが、パネルは隣接パネルと幾分一致している(機能的に対応している))。引き上げ装着おむつ２０は、主パネル２と一対のレッグフラップパネル４とを備えた股部３０；中央パネル(中間パネル)８、ウエストバンドパネル６、耳パネル１０、及びシームパネル１２を備えた前部２６；及び中央パネル(中間パネル)９、ウエストバンドパネル７、耳パネル１１、及びシームパネル１３を備えた後部２８を有している。股部３０は、連続ベルト(その他のパネル)がそこから出ている引き上げ装着おむつ２０の部分である。吸収性コアは一般に主パネル２の中に配置されている。その理由は、排泄物が一般的にはこの部位に排出されるからである。但し吸収性コアは一般的にはベルトの中間パネル８及び９の中まで延びている。レッグフラップパネル４は、主パネル２の各サイド縁２Ｂから一般に側面方向に外側にこれに沿って延びている。各レッグフラップパネル４は一般に、弾性脚部部材(feauture)の少なくとも一部分を形成する。連続ベルトゾーン(前部２６及び後部２８)は、股部３０(主パネル２及びレッグフラップパネル４)の各々の側面方向縁１５９からこれに沿って一般に長手方向に外側に延びている。前部２６において、中間パネル８(すなわち中央パネル)は、股部３０の側面方向縁１５９からこれに沿って一般に長手方向に外側に延びている。中間パネル８は、ウエスト縁１９０とサイド縁１９１とを有している。耳パネル１０は各々、中間パネル８(すなわち中央パネル)のサイド縁１９１からこれに沿って一般に側面方向に外側に延びている。耳パネル１０はウエスト縁１６１とサイド縁１７１とを有している。ウエストバンドパネル６は、中間パネル８(すなわち中央パネル)のウエスト縁１９０及び耳パネル１０のウエスト縁１６１からこれらに沿って一般に長手方向に外側に延びている。ウエストバンドパネル６はサイド縁１７５を有している。シームパネル１２は各々、耳パネル１０のサイド縁１７１及びウエストバンドパネル６のサイド縁１７５からこれに沿って一般に側面方向に外側に延びている。後部２８において、中間パネル９(すなわち中央パネル)は、股部３０のもう一方の側面方向縁１５９からこれに沿って一般に長手方向に外側に延びている。中間パネル９は、ウエスト縁１９２とサイド縁１９３とを有している。耳パネル１１は各々、中間パネル９(すなわち中央パネル)のサイド縁１９３からこれに沿って一般に側面方向に外側に延びている。耳パネル１１は、ウエスト縁１６３とサイド縁１７３とを有している。ウエストバンドパネル７は、中間パネル９(すなわち中央パネル)のウエストサイド縁１９２及び耳パネル１１のウエスト縁１６３からこれに沿って一般に長手方向に外側に延びている。ウエストバンドパネル７はサイド縁１７７を有している。シームパネル１３は各々、耳パネル１１のサイド縁１７３及びウエストバンドパネル７のサイド縁１７７からこれに沿って一般に側面方向に外側に延びている。前部２６は、そのパネルに加えて、ウエスト縁１５１、脚部縁１５３、及びサイド縁１５４をも有している。後部２８は、そのパネルに加えて、ウエスト縁１５５、脚部縁１５６、及びサイド縁１５７をも有している。股部３０は脚部縁１５８を有している。
【００１５】
引き上げ装着おむつ２０は主として、シャシー４１、ウエストエラストマー材料(図１と図２と図３には示されていない)、サイドエラストマー材料(図１と図２と図３には示されていない)、及びシーム３２を備えている。引き上げ装着おむつ２０は、引き裂きオープンタブ３１を有していてもよい。これの配置は、シーム３２及び内側バリヤーカフス５４を含む弾性化レッグカフス５２と関連している。サイドエラストマー材料は、耳パネル１０及び１１の少なくとも一部を延伸性にし、これによって延伸性耳部４６及び４８を形成する。ウエストエラストマー材料は、ウエストバンドパネル６及び７の少なくとも一部を延伸性にし、これによって連続延伸性ウエストバンド５７及び５９が形成される。サイドエラストマー材料及びウエストエラストマー材料は、互いに対して別々の要素であり、引き上げ装着おむつ２０の長手方向において互いに重なり合わないように配置されている。これによってウエストエラストマー材料及びサイドエラストマー材料のより独立した挙動が可能になり、寸法延伸(dimension extension)、圧力等における調節が得られる。延伸性耳部４６及び４８、及び連続延伸性ウエストバンド５７及び５９は、少なくとも側面方向に延伸性がある。シーム３２は、前部２６のシームパネル１２を後部２８のシームパネル１３に接合させ、これによって耳パネル１０は、耳パネル１１に接合され、これによって１つのウエスト開口部３６及び２つの脚部開口部３４が形成される。耳パネル１０が耳パネル１１に接合された形状において、連続延伸性ウエストバンド５７及び５９は、ウエスト開口部３６の周りで連続延伸性ウエスト部材６０を形成する。さらには連続ベルトゾーン３８は、前部２６及び後部２８に広がっている。
【００１６】
図３と図４を参照すると、シャシー４１は、吸収性コア２５及びこの吸収性コア２５と組合わせて配置された複数の層、例えばトップシート２４、及びこのトップシート２４と組合わされたバックシート２２を備えている。吸収性コア２５は、トップシート２４とバックシート２２との間に配置されている。シャシー４１はさらに、吸収性コア２５と組合わされて配置された１つ又はそれ以上の追加層を含んでいてもよい。トップシート２４は、使用中に装着者の体の近くに配置される体側表面を有している。バックシート２２は、装着者の体から離れて配置される外側表面を有している。好ましくはバックシート２２は、内側バリヤーフィルム６８と不織布外側カバー２３とを備えている。シャシー４１は前部２６、後部２８、及び股部３０を画定しているので、シャシー４１はまた、前記のような対応部位及びパネルを有している。(単純化のために、これらの部位及びパネルは図面において、図２に示されている対応する引き上げ装着おむつの部位及びパネルと同じ参照番号によって示されている)。
【００１７】
トップシート２４とバックシート２２の内側バリヤーフィルム６８とは、吸収性コア２５のものよりも一般に大きい長さと幅の寸法を有している。トップシート２４及び内側バリヤーフィルム６８は、吸収性コア２５のサイド縁及び端縁を越えて延びており、これによってシャシー４１の周辺部が形成される。トップシート２４は、引き上げ装着おむつ２０のウエスト縁１５１と１５５との間で長手方向に延びている。トップシート２４は、ウエスト端部分２４Ａとサイド部分２４Ｂとを有している。トップシート２４のウエスト端部分２４Ａ(すなわち末端延長部分２４Ａ)は、引き上げ装着おむつ２０のウエストバンドパネル６及び７の一部分の中まで延びている。内側バリヤーフィルム６８は、ウエスト端部分６８Ａとサイド部分６８Ｂとを有している。内側バリヤーフィルム６８は、トップシート２４よりも長手方向に少し短く、トップシート２４よりも側面方向に少し幅が広い。内側バリヤーフィルム６８は、不均一側面方向幅を有し、股部３０の少なくとも一部分における第一部分９４と、前部２６及び後部２８の少なくとも一部分における第二部分９６とを有している。内側バリヤーフィルム６８の側面方向幅はウエスト端部分６８Ａの方に向かって徐々に小さくなって行き、従って第二部分９６は、第一部分９４の側面方向幅の寸法よりも小さい側面方向の幅の寸法を有している。内側バリヤーフィルム６８は、耳パネル１０及び１１の効果的な側面方向の延長長さを増加させ、かつ耳パネル１０及び１１の嵩張りを減らすために、好ましくは耳パネル１０及び１１の中まで延びていない。内側バリヤーフィルム６８はまた、ウエストバンドパネル６及び７の嵩張りを減らすために、ウエストバンドパネル６及び７の中まで延びていない。さらには内側バリヤーフィルム６８は、耳パネル１０及び１１とウエストバンドパネル６及び７の両方の中まで延びていないので、内側バリヤーフィルム６８は、これらの区域において通気性を阻害しない。トップシート２４、内側バリヤーフィルム６８、及び吸収性コア２５は、多様なよく知られた形状に組立てられていてもよいが、シャシー形状の例は一般に、１９７５年１月１４日にKenneth B. Buellに発行された「使い捨ておむつ用の収縮性サイド部分(Contractible Side Portions for Disposable Diaper)」と題する米国特許第３,８６０,００３号；及び１９９２年９月２９日にKenneth B. Buellらに発行された「予め配置されたレジリエント曲げヒンジを有する動的弾性ウエスト部材を備えた吸収体(Absorbent Article With Dynamic Elastic Waist Feature Having A Predisposed Resilient Flexural Hinge)」と題する米国特許第５,１５１,０９２号に記載されている。
【００１８】
好ましくは不織布外側カバー２３は、引き上げ装着おむつ２０の最も外側の部分の区域のほとんど全部を覆っている。不織布外側カバー２３は、引き上げ装着おむつ２０と一般に同じ形状を有していてもよい。不織布外側カバー２３は、ウエスト端部分２３Ａとサイド部分２３とを有している。不織布外側カバー２３はまた、前部２６におけるサイド延長部分２３Ｃと後部２８におけるサイド延長部分２３Ｄとを有している。不織布外側カバー２３のウエスト端部分２３Ａ(すなわち末端延長部分２３Ａ)は、ウエストバンドパネル６及び７の中まで延びており、不織布外側カバー２３のサイド延長部分２３Ｃ及び２３Ｄは、耳パネル１０及び１１の中まで延びている。あるいはまた、バックシート２２の不織布外側カバー２３は、内側バリヤーフィルム６８と一般に同じ形状を有していてもよく、従って不織布外側カバー２３は、内側バリヤーフィルム６８の区域のみを覆っている。あるいはまた不織布外側カバー２３は、省かれてもよく、内側バリヤーフィルム６８は、引き上げ装着おむつ２０と一般に同じ形状を有していてもよく、耳パネル１０及び１１とウエストバンドパネル６及び７との両方の中まで延びていてもよい。
【００１９】
吸収性コア２５は、一般に圧縮性があり、形に合いやすく、装着者の皮膚に刺激を与えず、液体、例えば尿及びその他のいくつかの体の排泄物を吸収して保持しうるあらゆる吸収性部材であってもよい。この吸収性コア２５は、多様なサイズ及び形状(例えば長方形、砂時計形、「Ｔ」形状、非対称等)で、使い捨ておむつ及びその他の吸収体に通常用いられている非常に多様な液体吸収性材料、例えば一般にエアフェルトと呼ばれている微粉砕木材パルプから製造することができる。その他の適切な吸収性材料の例には、クレープセルロースワッディング；コフォームを含むメルトブローンポリマー；化学的剛化、変性、又は架橋セルロース繊維；ティシューラップ及びティシューラミネートを含むティシュー；吸収性フォーム；吸収性スポンジ；超吸収性ポリマー；吸収性ゲル化材料；又はあらゆる同等の材料又は材料の組合わせが含まれる。
【００２０】
吸収性コア２５の形状及び構成は、様々であってもよい(例えば吸収性コア２５は様々なキャリパーゾーン、親水性勾配、超吸収性勾配、又は比較的低い平均密度及び比較的低い平均坪量の受入れゾーンを有していてもよく；あるいは１つ又はそれ以上の層又は構造を備えていてもよい)。さらには、吸収性コア２５のサイズ及び吸収力はまた、乳幼児から大人までの幅広い装着者に合わせて様々であってもよい。しかしながら吸収性コア２５の総吸収力は、おむつ２０の設計負荷及び意図されている用途に適合したものであるべきである。
【００２１】
好ましい実施形態における吸収性コア２５は、前部ウエスト部２６及び後部ウエスト部２８に耳部を有する非対称修正砂時計形状を有している。広く受入れられ、商品としても成功を収めた吸収性コア２５として用いるためのその他の吸収構造の例は、１９８６年９月９日にWeismanらに発行された「高密度吸収構造(High-Density Absorbent Structures)」と題する米国特許第４,６１０,６７８号；１９８７年６月１６日にWeismanらに発行された「二重層コアを備えた吸収体(Absorbent Articles With Dual-Layered Cores)」と題する米国特許第４,６７３,４０２号；１９８９年１２月１９日にAngstadtに発行された「ダスチング層を有する吸収性コア(Absorbent Core Having A Dusting Layer)」と題する米国特許第４,８８８,２３１号；及び１９８９年５月３０日にAlemanyらに発行された「比較的低い密度及び比較的低い坪量の受入れゾーンを有する高密度吸収性部材(High Density Absorbent Members Having Lower Density and Lower Basis Weight Acquisition Zones)」と題する米国特許第４,８３４,７３５号に記載されている。
【００２２】
図５に示されているようなシャシー４１はさらに、吸収性コア２５の上に配置された化学的剛化繊維の受入れ/分配コア８４を含んでいてもよく、これによって二重コアシステムが形成される。好ましい二重コアシステムは、１９９３年８月１０日にAlemanyらに発行された「弾性ウエスト部材及び向上した吸収性を有する吸収体(Absorbent Article With Elastic Waist Feature and Enhanced Absorbency)」と題する米国特許第５,２３４,４２３号；及び１９９２年９月１５日にYoung、LaVon、及びTaylorに発行された「失禁管理用の高効率吸収体(High Efficiency Absorbent Articles For Incontinence Management)」と題する米国特許第５,１４７,３４５号に開示されている。好ましい実施形態において受入れ/分配コア８４は、ウエイヤーホイザー社(Weyerhaeuser Co.)(米国)からCMCという商品名として入手しうる化学処理剛化セルロース繊維材料を備えている。
【００２３】
より好ましくはシャシー４１はさらに、図５に示されているように、トップシート２４と受入れ/分配コア８４との間に受入れ/分配層８２を含んでいてもよい。受入れ/分配層８２は、トップシート２４の表面の湿潤傾向を減らすのを補助するように備えられている。受入れ/分配層８２は好ましくは、カードされ、樹脂接着されたハイロフト不織布材料を備えている。これは例えば北米のポリマー・グループ社(Polymer Group, Inc. North America)(米国ニュージャージー州ランディスビル(Landisville, New Jersey, U.S.A.))からコード番号FT-６８６０として入手しうるものであり、６dtexのポリエチレンテレフタレート繊維からできており、約４３ｇ/ｍ2の坪量を有している。
【００２４】
トップシート２４は、好ましくは柔軟で感触が柔らかく、装着者の皮膚に刺激を与えない。さらにはトップシート２４は、液体透過性であり、液体(例えば尿)がその厚さを容易に透過しうる。適切なトップシート２４は、非常に多様な材料から製造することができる。例えば、織布及び不織布材料；ポリマー材料、例えば開口成形熱可塑性フィルム、開口プラスチックフィルム、及び油圧成形熱可塑性フィルム；多孔質フォーム；網状化フォーム；網状化熱可塑性フィルム；及び熱可塑性スクリムである。適切な織布及び不織布材料は、天然繊維(例えば木材繊維又は綿繊維)、合成繊維(例えばポリマー繊維、例えばポリエステル、ポリプロピレン、又はポリエチレン繊維)、又は天然繊維と合成繊維との組合わせから構成されていてもよい。トップシート２４は好ましくは、トップシート２４を通過して吸収性コア２５に封じ込められた液体から装着者の皮膚を隔離するため(すなわち再湿潤を防ぐため)に、疎水性材料からできている。トップシート２４が疎水性材料からできているならば、トップシート２４の少なくとも上部表面は、液体がトップシートを通ってより素早く移動するように親水性処理されているのが好ましい。これによって、体の排泄物がトップシート２４を通って引き込まれて吸収性コア２５によって吸収されるのではなくトップシート２４から流れ落ちる可能性が小さくなる。トップシート２４は、界面活性剤で処理することによって親水性にすることができる。トップシート２４を界面活性剤で処理するのに適した方法には、トップシート材料２４に界面活性剤をスプレーすること、及びこの材料を界面活性剤の中に浸漬することが含まれる。このような処理及び親水性についてのより詳細な考察は、１９９１年１月２９日にReisingらに発行された「多層吸収層を備えた吸収体(Absorbent Articles with Multiple Layer Absorbent Layers)」と題する米国特許第４,９８８,３４４号、及び１９９１年１月２９日にReisingに発行された「素早い受入れの吸収性コアを備えた吸収体(Absorbent Articles with Rapid Acquiring Absorbent Cores)」と題する米国特許第４,９８８,３４５号に含まれている。トップシート２４は、好ましくはウエストバンドパネル６及び７及び引き上げ装着おむつ２０のその他の部分に沿った、換気設計/プロセスに適合したものであってもよい。
【００２５】
好ましい実施形態において、トップシート２４は、表面濡れ傾向を減少させ、その結果、吸収性コア２４によって吸収された尿を濡れた後で使用者の皮膚から離しておくのを容易にすることができる不織布ウエブである。好ましいトップシート材料の１つは、ファイバーウエブ・ノースアメリカ社(Fiberweb North America, Inc.)(米国サウスカロライナ州シンプソンビル(Simpsonville, South Carolina, U.S.A.))からコード番号P-8として入手しうる熱接着カードウエブである。もう１つの好ましいトップシート材料は、日本国ハビックス社(Havix Co.)からコード番号S-2355として入手しうる。この材料は、ニ層複合材料であり、カード及び通風(air-through)技術を用いて、二種類の合成界面活性剤処理されたニ成分繊維からできている。さらにもう１つの好ましいトップシート材料は、アモコ・ファブリック社(Amoco Fabrics, Inc.)(ドイツ国グロナウ(Gronau, Germany))からコード番号プロフリース・スタイル(Profleece Style)０４００１８００７として入手しうる熱接着カードウエブである。
【００２６】
もう１つの好ましいトップシート２４は、開口成形フィルムを備えている。開口成形フィルムがトップシート２４には好ましいが、その理由は、これらが体の排泄物に対して透過性があるのに非吸収性であり、液体が逆流して装着者の皮膚を再び濡らす傾向が少なくなるからである。従って体と接触している成形フィルムの表面は乾いたままであり、これによって体が汚れることが少なくなり、装着者により快適な感触を与える。適切な成形フィルムは、１９７５年１２月３０日にThompsonに発行された「先細り毛管を有する吸収構造(Absorptive Structures Having Tapered Capillaries)」と題する米国特許第３,９２９,１３５号；１９８２年４月１３日にMullaneらに発行された「汚れ抵抗性トップシートを有する使い捨て吸収体(Disposable Absorbent Article Having A Stain Resistant Topsheet)」と題する米国特許第４,３２４,２４６号；１９８２年８月３日にRadelらに発行された「繊維様特性を示す弾性プラスチックウエブ(Resilient Plastic Web Exhibiting Fiber-Like Properties)」と題する米国特許第４,３４２,３１４号；１９８４年７月３１日にAhrらに発行された「非光沢性可視表面と布様触感を示す巨視的膨張三次元プラスチックウエブ(Macroscopically Expanded Three-Dimensional Plastic Web Exhibiting Non-Glossy Visible Surface and Cloth-Like Tactile Impression)」と題する米国特許第４,４６３,０４５号；及び１９９１年４月９日にBairdに発行された「多層ポリマーフィルム(Multilayer Polymeric Film)」と題する米国特許第５,００６,３９４号に記載されている。
【００２７】
バックシート２２は、好ましくは内側バリヤーフィルム６８と不織布外側カバー２３とを備えている。内側バリヤーフィルム６８は好ましくは、液体(例えば尿)不透過性であり、好ましくは薄いプラスチックフィルムから製造されている。内側バリヤーフィルム６８は、体側表面７９と外側表面７７とを有している。より好ましくはプラスチックフィルムは、蒸気をおむつ２０から逃がすことができる。好ましい実施形態において、微孔質ポリエチレンフィルムが、内側バリヤーフィルム６８に用いられる。適切な微孔質ポリエチレンフィルムは、日本国名古屋の三井東圧化学(Mitsui Toatsu Chemical, Inc.)によって製造され、エスポワール・ナンバー(Espoir No.)として販売されている。バックシート２２は好ましくは、換気及びサイドシーミング設計/プロセスと適合している。さらには使い捨てテープが、バックシートの外側表面に接合されていてもよい。
【００２８】
内側バリヤーフィルム６８に適したプラスチックフィルム材料は、好ましくはポリエチレン又はポリプロピレンを備えた、約０.０１２ｍｍ(０.５ミル)〜約０.０５１ｍｍ(２.０ミル)の厚さを有する熱可塑性フィルムである。好ましくはこのプラスチックフィルムは、約５ｇ/ｍ2〜約３５ｇ/ｍ2の坪量を有している。しかしながらその他の柔軟性液体不透過性材料を用いてもよいことに注目すべきである。ここでの「柔軟性」とは、柔軟で、装着者の体の一般的形状及び輪郭に合いやすい材料のことを言う。プラスチックフィルムは、前記方法によって測定された場合、３,０００と４,０００ｇ/ｍ2/２４時間の間の透湿度を有していてもよい。
【００２９】
不織布外側カバー２３は、内側バリヤーフィルム６８の外側表面と接合されてラミネートが形成される(すなわちバックシート２２)。不織布外側カバー２３は、引き上げ装着おむつ２０の最も外側部分に配置されており、おむつ２０の最も外側部分の少なくとも一部分を覆っている。不織布外側カバー２３は、この技術で知られているあらゆる適切な接着手段によって内側バリヤーフィルム６８に接合されていてもよい。例えば不織布外側カバー２３は、均一連続接着剤層、パターン接着剤層、あるいは一列の別々の接着剤線、螺旋、又はスポットによって、内側バリヤーフィルム６８に固定されていてもよい。適切な接着剤には、日本国大阪のニッタ・フィンドレイ株式会社(Nitta Findley Co. Ltd.)から入手しうるホットメルト接着剤、及び日本国大阪のエイチ・ビー・フラー・ジャパン株式会社(H.B.Fuller Japan Co., Ltd.)からJM-6064として入手しうるホットメルト接着剤が含まれる。
【００３０】
好ましい実施形態において、不織布外側カバー２３は、日本国岐阜のハビックス株式会社からE-2341として入手しうるカード不織布ウエブである。不織布外側カバー２３は、ポリエチレン(ＰＥ)とポリエチレンテレフタレート(ＰＥＴ)とのニ成分繊維からできている。ＰＥ/ＰＥＴ比は、約４０/６０である。ＰＥ/ＰＥＴニ成分繊維は、２デシテックス×５１ｍｍの寸法を有している。もう１つの好ましいカード不織布ウエブは、日本国大阪のチッソ社(Chisso Corp.)から入手しうる。不織布外側カバー２３はまた、ポリエチレン(ＰＥ)とポリエチレンテレフタレート(ＰＥＴ)とのニ成分繊維からできている。ＰＥ/ＰＥＴの比は約３０/７０である。
【００３１】
もう１つの好ましい実施形態において、不織布ウエブは、例えば日本国東京の三井石油化学工業(Mitsui Petrochemical Industries, Ltd.)から入手しうるスパンボンド不織布ウエブである。不織布ウエブは、ポリエチレン(ＰＥ)シースとポリプロピレン(ＰＰ)コアとから成るニ成分繊維からできている。ＰＥ/ＰＰ比は約８０/２０である。ＰＥ/ＰＰ二成分繊維は、約２.３デシテックスの厚さを有している。
【００３２】
バックシート２２は好ましくは、吸収性コア２５の外側表面に隣接して配置されており、好ましくはこの技術で知られているあらゆる適切な接着手段によってこれに接合されている。例えばバックシート２２は、均一連続接着剤層、パターン接着剤層、あるいは一列の別々の接着剤線、螺旋、又はスポットによって、吸収性コア２５に固定されていてもよい。満足すべきことが分かっている接着剤は、ミネソタ州セントポール(St. Paul, Minnesota)のエイチ・ビー・フラー社(H. B. Fuller Company)によって製造され、HL-1258として販売されているものである。接着剤フィラメントのオープンパターンネットワークを備えた適切な接着手段の一例は、１９８６年３月４日にMinetolaらに発行された「使い捨て排泄物封じ込め衣類(Disposable Waste-Containment Garment)」と題する米国特許第４,５７３,９８６号に開示されている。渦巻き状に螺旋パターンにされた接着剤フィラメントのいくつかの線を備えているもう１つの適切な接着手段は、１９７５年１０月７日にSprague, Jr.に発行された米国特許第３,９１１,１７３号；１９７８年１１月２２日にZieckerらに発行された米国特許第４,７８５,９９６号；及び１９８９年６月２７日にWereniczに発行された米国特許第４,８４２,６６６号に示されている装置及び方法によって例証されている。である。あるいはまた接着手段は、熱接着、圧力接着、超音波接着、動的機械的接着、又はこの技術で知られているその他のあらゆる適切な接着手段又はこれらの接着手段の組合わせを備えていてもよい。
【００３３】
もう１つの実施形態において、吸収性コア２５は、前部２６及び後部２８においてより大きい延伸性を与えるために、バックシート２２及び/又はトップシート２４に接合されていない。
【００３４】
弾性化レッグカフス５２は、液体及びその他の体の排泄物の改良された封じ込めを与える。弾性化レッグカフス５２は、脚部における体の排泄物の漏れを減少させるために、いくつかの異なる実施形態を備えていてもよい。(レッグカフスは、レッグバンド、サイドフラップ、バリヤーカフス、又は弾性カフスと呼ばれてもよく、そう呼ばれることもある)。米国特許第３,８６０,００３号は、サイドフラップ及び１つ又はそれ以上の弾性部材を有する収縮性脚部開口部を生じて、弾性化レッグカフス(ガスケットカフス)を備えさせる使い捨ておむつについて記載している。１９９０年３月２０日にAzizらに発行された「弾性化フラップを有する使い捨て吸収体(Disposable Absorbent Article Having Elasticized Flaps)」と題する米国特許第４,９０９,８０３号は、脚部の封じ込めを改良するために「立ち上がった」弾性化フラップ(バリヤーカフス)を有する使い捨ておむつについて記載している。１９８７年９月２２日にLawsonに発行された「二重カフスを有する吸収体(Absorbent Article Having Dual Cuffs)」と題する米国特許第４,６９５,２７８号及び１９８９年１月３日にDragooに発行された「漏れ抵抗性二重カフスを有する吸収体(Absorbent Article Having Leakage-Resistant Dual Cuffs)」と題する米国特許第４,７９５,４５４号は、ガスケットカフスとバリヤーカフスとを含む二重カフスを有する使い捨ておむつについて記載している。１９８７年１１月３日にBuellに発行された「使い捨てウエスト封じ込め衣類(Disposable Waist Containment Garment)」と題する米国特許第４,７０４,１１５号は、衣類の中の遊離液体を封じ込めるような形状のサイド縁漏れガード溝部を有する使い捨ておむつ又は失禁用衣類を開示している。
【００３５】
各弾性化レッグカフス５２は、レッグバンド、サイドフラップ、バリヤーカフス、又は前記弾性カフスのどれかと同様な形状であってもよいが、各弾性化レッグカフス５２は、バリヤーフラップ５６と、前記引例の米国特許第４,９０９,８０３号に記載されているような間隔あけ手段５８(図５に示されている)とを備えた内側バリヤーカフス５４を備えているのが好ましい。内側バリヤーカフス５４は、高度に不透過性であるが好ましくは通気性があるインサート要素を有していてもよい。好ましい実施形態において、弾性化レッグカフス５２はさらに、１つ又はそれ以上の弾性ストランド６４を有する弾性ガスケットカフス６２を備えており、これは、前記引例の米国特許第４,６９５,２７８号及び第４,７９５,４５４号に記載されているようにバリヤーカフス５４の外側に配置されている。弾性ストランド６４は一般に、レッグフラップパネル４の中に配置されており、予備歪が与えられた条件下において、例えばホットメルトグルーのような手段でこれに接合されている。弾性ストランド６４は、接合される前に、３０％と２００％の間まで、好ましくは５０％と１５０％の間まで予備歪が与えられていてもよい。好ましい弾性ストランド６４は、フルフレックス・インターナショナル社(Fluflex International Company)によって9312という名称で製造されている。
【００３６】
引き上げ装着おむつ２０は、前部延伸性耳部４６と後部延伸性耳部４８とを有している。図５を参照すると、延伸性耳部４６及び４８は好ましくは、サイドエラストマー材料１２４(図８に示されている)を有するサイド弾性部材７０、不織布外側カバー２３のサイド延長部分２３Ｃ、及び内側バリヤーカフス５４の延長部分７２を備えている(図５は、前部２６における構造のみを示しているが、好ましくは後部２８における構造は、前部２６のものと同じであるか、又は同様のものである)。好ましくは前部延伸性耳部４６及び４８の少なくとも１つは、少なくとも側面方向に弾性的延伸性がある。より好ましくは、前部延伸性耳部４６及び後部延伸性耳部４８はどちらも、少なくとも側面方向に弾性的延伸性がある。もう１つの実施形態において、前部延伸性耳部４６及び後部延伸性耳部４８は、側面方向と長手方向との両方に弾性的延伸性がある。ここでの「延伸性」とは、不当な破断を伴わずにある程度まで少なくとも１つの方向に延伸しうる材料のことを言う。ここでの「弾性」及び「弾性的延伸性」とは、材料を延伸させた力が除去された後で、ほぼそのもとの寸法に戻る能力を有する延伸性材料のことを言う。ここで「延伸性がある」として記載されたあらゆる材料又は要素も、他の記載がなされていなければ、弾性的延伸性があるものであってもよい。延伸性耳部４６及び/又は４８は、おむつを当初から装着者の形に合うようにフィットさせて、おむつに排泄物が負荷されたずっと後でも、装着の間中このフィットを持続させることによって、より快適で輪郭に合ったフィットを与える。その理由は、延伸性耳部４６及び/又は４８によっておむつのサイド部が伸縮しうるからである。
【００３７】
延伸性耳部４６及び/又は４８は好ましくは通気性がある。引き上げ装着おむつの残りの部分の全体の蒸気透過率と共に耳パネルの透湿度は、高熱湿度条件と関連したあせも及びその他の皮膚の問題の発生を減少させる上で重要である。引き上げ装着おむつの中の湿度及び熱湿度(heat humidity)を減少させるために、延伸性耳部４６及び４８は好ましくは、少なくとも約２,０００ｇ/ｍ2/２４時間、より好ましくは少なくとも４,０００ｇ/ｍ2/２４時間の重量平均質量蒸気透過率を有している。好ましくは引き上げ装着おむつ全体は、少なくとも２,０００ｇ/ｍ2/２４時間〜約８,０００ｇ/ｍ2/２４時間の重量平均質量蒸気透過率を有している。
【００３８】
透湿度は、下記方法によって測定される。既知量のＣａＣｌ2をフランジカップに入れる。サンプルをカップの上に載せ、保持リング及びガスケットによってこれをしっかりと保持する。ついでこの集成体の重さを測り、当初重量として記録する。この集成体を一定温度(４０℃)及び湿度(７５％RH)の部屋に５時間入れておく。ついでこの集成体をこの部屋から取り出し、秤が配置されているこの部屋の温度において少なくとも３０分間平衡させる。ついでこの集成体の重さを測り、最終重量として記録する。質量蒸気透過率(MVTR)を計算し、次の式を用いてｇ/ｍ2/２４時間で表示する。
MVTR＝{(最終重量−当初重量)×２４.０}/{サンプル面積(m)×５.０(部屋における時間)}
図６並びに図３を参照すると、サイド弾性部材７０を備えた延伸性耳部４６は、高い方の端縁４６Ａ、低い方の端縁４６Ｂ、内側サイド縁４６Ｃ、及び外側サイド縁４６Ｄを有している。サイド弾性材料７０を備えた後部延伸性耳部４８は、高い方の端縁４８Ａ、低い方の端縁４８Ｂ、内側サイド縁４８Ｃ、及び外側サイド縁４８Ｄを有している。前部２６における各要素、部分(portion)、パーツ(part)等の形状(例えば前部延伸性耳部４６の形状と後部延伸性耳部４８の形状、又は低い方の端縁４６Ｂの形状と低い方の端縁４８Ｂの形状)は、後部２８のものとは異なっていてもよいが、前部２６及び後部２８において互いに対応する要素、部分、パーツ等は、説明を容易にするために同じものとして(concurrently)記載されてもよい。好ましい実施形態において、耳パネル１０及び１１は、サイド弾性材料７０によって、延伸性耳部４６及び４８を形成するために、耳パネル１０及び１１の区域全体において延伸性にされている。図３に示されている実施形態において、サイド弾性材料７０は、シームパネル１２及び１３の一部の中まで延びており、従って前部延伸性耳部４６及び後部延伸性耳部４８は、シーム３２において互いにアンカー留めされており、前部２６のサイド弾性材料７０と後部２８のサイド弾性材料７０とは、シーム３２においてアンカー留めされている(図５もまた、シームパネル１２及び１３の中まで延びているサイド弾性部材７０を示している。但しシームパネル１２及び１３は図５には示されていない)。あるいはまた、耳パネル１０及び１１は、耳パネル１０及び１１におけるこの区域の一部分のみにおいて延伸性のあるものにされてもよい。延伸性耳部４６及び４８は、サイド弾性部材７０を接合すること、及び機械的ストレッチングに付されることによって延伸性にされた耳パネル１０及び１１の一部である。好ましい実施形態において、内側サイド縁４６Ｃ及び４８Ｃは、一般に引き上げ装着おむつ２０の長手方向中心線１００に沿って延びている。外側サイド縁４６Ｄ及び４８Ｄは、内側サイド縁４６Ｃ及び４８Ｃに平行ではなく、長手方向中心線１００に平行でない。外側サイド縁４６Ｄ及び４８Ｄは、低い方の端縁４６Ｂ及び４６Ｂの近くで側面方向に外側に突出している。従って外側サイド縁４６Ｄ及び４８Ｄは、低い方の端縁４６Ｂ及び４８Ｂの近くで内側サイド縁４６Ｃ及び４８Ｃから遠くにある。延伸性耳部４６及び４８は、低い方の端縁４６Ｂ及び４８Ｂの近くの内側サイド縁４６Ｃ及び４８Ｃと、低い方の端縁４６Ｂ及び４８Ｂの近くの外側サイド縁４６Ｄ及び４８Ｄとの間の側面方向の幅Ｌ１、及び高い方の端縁４６Ａ及び４８Ａの近くの内側サイド縁４６Ｃ及び４８Ｃと、外側サイド縁４６Ｄ及び４８Ｄとの間の側面方向の幅Ｌ２とを有している。内側サイド縁と外側サイド縁との間の側面方向の幅は、長手方向中心線１００に垂直な側面方向において、内側サイド縁４６Ｃ及び４８Ｃと、外側サイド縁４６Ｄ及び４８Ｄとの間の幅である。従って内側サイド縁と外側サイド縁との間の側面方向の幅は、内側サイド縁４６Ｃ及び４８Ｃと、外側サイド縁４６Ｄ及び４８Ｄとが、長手方向に同一の広がりを有する範囲Ｒにおいて有効である。側面方向の幅Ｌ１は、側面方向の幅Ｌ２よりも大きく、従って延伸性耳部４６及び４８の側面方向において有効なエラストマー材料の量は、高い方の端縁４６Ａ及び４８Ａの近くよりも低い方の端縁４６Ｂ及び４８Ｂの近くの方が大きい。外側サイド縁４６Ｄ及び４８Ｄが、低い方の端縁４６Ｂ及び４８Ｂの近くで側面方向に外側に突出しているので、低い方の端縁４６Ｂ及び４８Ｂの近くの有効エラストマー材料の量は、高い方の端縁４６Ａ及び４８Ａの近くの有効エラストマー材料の量を減少させることなく増加される。さらには有効エラストマー材料の量は、高い方の端縁４６Ａ及び４８Ａから低い方の端縁４６Ｂ及び４８Ｂの方に向かう方向において変わる。その理由は、延伸性耳部４６及び４８の側面方向の幅が、その方向において徐々に変わるからである。この結果、延伸性耳部上において力又は力勾配の変化を生じ、これによって注文品のようなフィット(custom fit)が可能になる。内側サイド縁４６Ｃ及び４８Ｃはまた、長手方向中心線に対して平行でなくてもよく、低い方の端縁４６Ｂ及び４８Ｂの近くで側面方向に内側に突出しており、従って側面方向の幅Ｌ１は、側面方向の幅Ｌ２よりもさらに大きくなる。あるいはまた、内側サイド縁４６Ｃ及び４８Ｃは、低い方の端縁４６Ｂ及び４８Ｂの近くでわずかに側面方向に外側に突出していてもよく、従って側面方向の幅Ｌ１は、側面方向の幅Ｌ２よりもさらに大きい。
【００３９】
延伸性耳部４６及び４８は、引き上げ装着おむつ２０のユニット型要素によって形成されていてもよい(すなわちこれらは、引き上げ装着おむつ２０に固定された別々に操作される要素ではなく、むしろ引き上げ装着おむつの様々な層の１つ又はそれ以上から形成されており、これらの延長部分である)。好ましい実施形態において、延伸性耳部４６及び４８は、シャシー４１の突出部材である。好ましくは延伸性耳部４６及び４８は、シャシー４１の一部を形成し、かつ延伸性耳部４６及び４８まで連続的に延びている少なくとも１つのユニット型要素又は連続シート材料を備えている。あるいはまた延伸性耳部４６及び４８は、シャシー４１の一部を形成するユニット型要素を有していない離散部材であってもよい。延伸性耳部４６及び４８は、離散部材をシャシー４１のサイド部分に接合させることによって形成されてもよい。
【００４０】
サイド弾性部材７０は、延伸性耳部４６及び４８において、内側バリヤーカフス５４の延長部分７２と、不織布外側カバー２３のサイド延長部分２３Ｃ及び２３Ｄとの間に挿入されている。サイド弾性部材７０は、内側バリヤーカフス５４の延長部分７２及び不織布外側カバー２３のサイド延長部分２３Ｃ及び２３Ｄのうちの少なくとも１つに機能的に(operatively)接合されている。好ましくはサイド弾性部材７０は、実質的に非張力(ゼロ歪)状態にある間に、内側バリヤーカフス５４の延長部分７２と不織布外側カバー２３のサイド延長部分２３Ｃ及び２３Ｄとの両方に機能的に接合されている。
【００４１】
サイド弾性部材７０は、断続的接着形状又は実質的に連続的な接着形状のどちらかを用いて、内側バリヤーカフス５４及び不織布外側カバー２３に機能的に接合されていてもよい。ここにおいて「断続的」接着ラミネートウエブとは、間隔があけられた離散点においてプライが当初から互いに接着されているラミネートウエブ、又は間隔があけられた離散区域においてプライが互いに実質的に接着されていないラミネートウエブを意味する。逆に「実質的に連続的に」接着されたラミネートウエブは、プライが当初から界面区域全体において実質的に連続的に互いに接着されているラミネートウエブを意味する。ストレッチラミネートが、ストレッチラミネートの全体又は有意部分に接着され、従って非弾性ウエブ(すなわち内側バリヤーカフス５４の不織布ウエブ及び不織布外側カバー２３)は、破断を引き起こすことなく伸びるか圧伸され、かつストレッチラミネートのこれらの層は好ましくは、インクリメンタルな機械的ストレッチ操作後に、ストレッチラミネート層のすべてを比較的間隔の狭い接着に維持する形状において接着されているのが好ましいので、サイド弾性部材及びストレッチラミネートのその他のプライは、接着剤を用いて実質的に連続的に互いに接着される。特に好ましい実施形態において、選ばれた接着剤は、螺旋パターンに(例えば米国特許第３,９１１,１７３号(Sprague, Jr.)及び米国特許第４,８４２,６６６号(Werenicz)に示されているように)、約０.１１６ｇ/ｍ2の坪量において塗布される。これらの螺旋は、約１.９ｃｍ(０.７５インチ)の幅を有しており、互いにすぐそばに配置されるか、あるいはわずかに(２ｍｍ未満)重なり合う。接着剤は好ましくは、フィンドレイ・アドヒーシブ社(Findley Adhesives)からH2120という名称で入手しうる接着剤である。あるいはまた、ストレッチラミネートのサイド弾性部材及びその他のあらゆる要素は、熱接着、圧力接着、超音波接着、動的機械的接着、又はこの技術で知られているようなその他のあらゆる方法を用いて、互いに断続的に又は連続的に接着されていてもよい。
【００４２】
サイド弾性部材７０は、内側バリヤーカフス５４の延長部分７２及び不織布外側カバー２３のサイド延長部分２３Ｃ及び２３Ｄに機能的に接合された後、結果として生じた複合ストレッチラミネートの少なくとも一部分は、ついで非弾性要素、例えば内側バリヤーカフス５４の延長部分７２及び不織布外側カバー２３のサイド延長部分２３Ｃ及び２３Ｄを永久に伸ばすのに十分な機械的ストレッチングに付される。ついで複合ストレッチラミネートは、その実質的に非張力の状態まで戻される。従って延伸性耳部４６及び４８は、「ゼロ歪」ストレッチラミネートに形成される。(あるいはまたサイド弾性部材７０は、張力状態において機能的に接合され、ついで機械的ストレッチングに付されてもよいであろう)。ここにおいて「ゼロ歪」ストレッチラミネートは、実質的に非張力(「ゼロ歪」)状態にある間に、これらの同一平面にある表面の少なくとも一部分に沿って互いに固定された少なくとも２つの材料プライから構成されているラミネートのことを言う。これらのプライのうちの１つは、ストレッチ性がありエラストマー性のある材料を備えており(すなわち、加えた張力が開放された後で実質的にその非張力寸法まで戻る)、第二プライは、伸長性があり(しかしながら必ずしもエラストマー性ではない)、従ってストレッチした時にこの第二プライは、少なくともある程度まで永久伸びされ、従って加えた張力を開放した時、これはそのもとの非変形形状に完全には戻らない。これによって、結果として生じたストレッチラミネートは、当初の機械的ストレッチングの方向に、少なくとも当初ストレッチング点まで弾性的延伸性にされる。ストレッチラミネートを製造するために用いられる特に好ましい方法及び装置は、これらの要素を機械的にストレッチするためのかみ合い波形ロール又は定盤を利用している。特に好ましい装置及び方法は、１９９２年１２月１日にWeberらに発行された米国特許第５,１６７,８９７号；１９９０年１０月２０日にBuellらに発行された米国特許第５,１５６,７９３号；１９９２年９月１日にWeberらに発行された米国特許第５,１４３,６７９号、及び１９９８年５月７日に出願された「移動ウエブを活性化するための方法及び装置(Method and Apparatus for Activating a Moving Web)」(Christoph J. Schmitzら)という欧州特許出願第９８１０８２９０.２号に開示されている。
【００４３】
サイド弾性部材７０は好ましくは、図５に示されているように、接着剤７６を通じて内側バリヤーフィルム６８のサイド部分６８Ｂに接合されており、より好ましくは直接これに固定されている。好ましい実施形態において、サイド弾性部材７０は、外側表面７７において内側バリヤーフィルム６８のサイド部分６８Ｂに接合されている。もう１つの実施形態において、サイド弾性部材７０は、体側表面７９において内側バリヤーフィルム６８のサイド部分６８Ｂに接合されていてもよい。好ましくは接着剤７６は、ビーズとして塗布されている。接着剤７６は、螺旋として塗布されていてもよい。好ましい実施形態において、接着剤７６は、非晶質成分及び結晶化成分を備えた柔軟性接着剤である。このような好ましい接着剤は、フィンドレイ・アドヒーシブ社によって#H9224という名称として供給されている。あるいはまたサイド弾性部材７０は、この技術で知られているその他のあらゆる接着手段によって内側バリヤーフィルム６８のサイド部分６８Ｂに接合されていてもよい。これらの手段は、熱接着、圧力接着、超音波接着、動的機械的接着、又はこれらの接着手段の組合わせを備えている。
【００４４】
図８を参照すると、延伸性耳部４６及び４８に用いられているサイド弾性部材７０は、サイドエラストマー材料１２４を備えている。サイド弾性部材７０はさらに、第一カバー素材(coverstock)層１２２及び第二カバー素材層１２６のうちの１つ、好ましくはその両方を含んでいてもよい。あるいはまたサイド弾性材料７０は、追加層を含まなくてもよい。
【００４５】
サイドエラストマー材料１２４は、第一表面１５０と、この第一表面１５０の反対側にある第二表面１５２、及びサイドエラストマー材料１２４の第一表面１５０に接合された第一カバー素材層１２２を有している。好ましい実施形態において、第一カバー素材層１２２は、例えば図９に示されているように、接着剤１６０によってサイドエラストマー材料１２４の第一表面１５０に接合されている。より好ましくはサイドエラストマー部材７０はさらに、接着剤１６４によってサイドエラストマー材料１２４の第二表面１５２に接合されている第二カバー素材層１２６を備えている。サイドエラストマー材料１２４は、装着者のサイド区域において、最適な保持(又は持続)力を発生させることによって良好なフィットを与える。好ましくはサイドエラストマー材料１２４は、少なくとも１つの方向において、好ましくは側面方向にベクトル成分を有する方向において延伸性があり、装着者の皮膚に紅斑を付けずに、引き上げ装着おむつ２０が胴体の定位置から垂れたり、ずれたり、あるいは滑り落ちたりするのを防ぐのに最適な保持(又は持続)力を発生させる。
【００４６】
サイドエラストマー材料１２４は、非常に多様なサイズ、形態、及び形状に形成されていてもよい。好ましい実施形態において、サイドエラストマー材料１２４は、連続平面層の形態にある。連続平面層の好ましい形態は、スクリム、穿孔(又は開口成形)フィルム、エラストマー織布又は不織布等を含んでいる。これに代わる実施形態において、サイドエラストマー材料１２４は、ストランド(又はストリング)の形態にあり、これらは連続平面層を形成するために互いに連結されていない。連続平面層は、耳パネルに適切に備えられていてもよいあらゆる形状のものであってもよい。連続平面層の好ましい形状は、長方形及び正方形、台形、及びその他の多角形を含む四辺形を含んでいる。
【００４７】
サイドエラストマー材料１２４に特に適していることが分かっているエラストマー材料は、好ましくは約０.０５ｍｍ〜約１.０ｍｍ(０.００２インチ〜０.０３９インチ)の厚さを有する、スチレンブロックコポリマーベースのスクリム材料、穿孔(又は開口)弾性フィルム、ストランドである。サイドエラストマー材料１２４に適したその他のエラストマー材料は、「生きた(live)」合成又は天然ゴム、その他の合成又は天然ゴムフォーム、エラストマーフィルム(熱収縮性エラストマーフィルムを含む)、エラストマー織布又は不織布ウエブ、エラストマー複合材料等を含んでいる。
【００４８】
サイドエラストマー材料１２４の延伸特性、例えば１００％延伸における第一サイクル延伸力(FCEF１００％)、２００％延伸における第一サイクル延伸力(FCEF２００％)、５０％延伸における第二サイクル回復力(ＳＣＲＦ５０％)、及び１０〜１２時間後の５０％における持続負荷は、使い捨て衣類の性能における重要な考慮事項である。サイドエラストマー材料１２４は好ましくは、ここで規定されている範囲内の延伸特性を有している。FCEF１００％及びFCEF２００％は、使い捨て衣類の装着/除去の間に全体的に感知される「ストレッチ性」の測定値である。これらの２つの特性はまた、装着させる人が、適切な程度の装着ストレッチを得ることができるかどうかにも影響を与える。比較的高いFCEF１００％及びFCEF２００％を有するサイドエラストマー材料１２４は、この使い捨て衣類を装着者に装着させる上で難しさを生じることがある。他方、比較的低いFCEF１００％及びFCEF２００％を有するサイドエラストマー材料１２４は、適切なレベルのボディーフィット/適合性を得ることはできない。ＳＣＲＦ５０％はまた、装着者にとっての使い捨て衣類のボディーフィット/適合性とも密接に関連している。比較的高いＳＣＲＦ５０％を有するサイドエラストマー材料１２４は、装着者の皮膚に紅斑を引起す傾向があり、使用中、装着者に不快であることがある。比較的低いＳＣＲＦ５０％を有するサイドエラストマー材料１２４は、おむつを装着者の定位置に保持するのに十分な弾性力を与えることができず、良好なボディーフィットも与えることができない。５０％における持続負荷は、経時的な力の減少について評価する。これは限定されている方がよく、さもなければかなり大きいたるみが結果として生じる。
【００４９】
FCEF１００％、FCEF２００％、及びＳＣＲＦ５０％の値は、引っ張り試験機を用いて測定することができる。引っ張り試験機は、上あごと、この上あごの下に位置する下あごとを備えている。上あごは可動であり、延伸力測定手段に連結されている。下あごは、デスク(又は床)に固定されている。幅約２.５４ｃｍ(１.０インチ)、長さ約１２.７５ｃｍ(５インチ)のテスト標本(すなわち測定されるエラストマー材料)が準備され、有効標本長さ(Ｌ)(すなわちゲージ長)が約２.５４ｃｍ(１.０インチ)になるように上あごと下あごとの間で締め付けられる。延伸力が上あごを通してテスト標本に加えられる。延伸力がテスト標本に加えられない時、テスト標本は非張力長さにある。ここで用いるのに適した引っ張り試験機は、インストロン社(Instron Corporation)(米国マサチューセッツ州０２０２１、カントン、ロイヤル・ストリート１００番地(100 Royal Street, Canton, MA02021, U.S.A.))からコード番号インストロン５５６４として入手しうる。
【００５０】
図１０は、サイドエラストマー材料１２４の２サイクルヒステリシスについての延伸及び回復力曲線の１つの好ましい実施例を示している。曲線Ｅ１は第一サイクルにおける延伸力を示しており、一方、曲線Ｒ１は第一サイクルにおける回復力を示している。曲線Ｅ２(破線で示されている)は第二サイクルにおける延伸力を示しており、一方、曲線Ｒ２は第二サイクルにおける回復力を示している。延伸及び回復特性は、次のように測定される。
【００５１】
第一サイクルにおいて、テスト標本は、約２３℃において２５.４ｍｍ/分(１０インチ/分)のクロスヘッド率において当初延伸力に付され、３０秒間２００％延伸に保持される。ついでテスト標本は、非張力状態と同じ率で緩和される。テスト標本は、同じ率及び条件において第二延伸力(第二サイクルの場合)に付される前に、１分間非拘束状態に留まるようにされる。
【００５２】
好ましい実施形態において、サイドエラストマー材料１２４のFCEF１００％は、少なくとも約１００グラム/インチである。より好ましくはFCEF１００％は、約１２０と約２２０グラム/インチの間であり、最も好ましくは約１５０グラム/インチと約１９０グラム/インチの間である。FCEF２００％は、好ましくは約１６０グラム/インチと約４５０グラム/インチの間であり、より好ましくは約１８０グラム/インチと約３００グラム/インチの間であり、さらにより好ましくは約２００グラム/インチと約２４０グラム/インチの間である。サイドエラストマー材料１２４のＳＣＲＦ５０％は、好ましくは約４０グラム/インチと約１３０グラム/インチの間であり、より好ましくは約６５グラム/インチと約１０５グラム/インチの間、さらにより好ましくは約７５グラム/インチと約９５グラム/インチの間である。５０％における持続負荷は好ましくは約４０グラム/インチと約１３０グラム/インチの間であり、より好ましくは約６５グラム/インチと約１０５グラム/インチの間、さらにより好ましくは約７５グラム/インチと約９５グラム/インチの間である。
【００５３】
図８に示されている好ましい実施形態において、エラストマースクリム１２４は、複数の第一ストランド１２５と複数の第二ストランド１２７とを有している。複数の第一ストランド１２５は、ノード１３０において予め決められている角度αで複数の第二ストランド１２７と交差しており、複数の開口部１３２を有するネット様開放構造を形成する。各開口部１３２は、少なくとも２つの隣接第一ストランド及び少なくとも２つの隣接第二ストランドとによって画定されており、従って開口部１３２は、形状が実質的に長方形である。開口部１３２のその他の形状、例えば平行四辺形、正方形、又は円弧セグメントも備えることができる。好ましくは第一ストランド１２５及び第二ストランド１２７は、実質的に直線であり、互いに実質的に平行である。好ましくは第一ストランド１２５は、ノード１３０において第二ストランド１２７と交差しており、従って角度αは約９０°である。第一ストランド１２５及び第二ストランド１２７は、好ましくはノード１３０において接合されているか、あるいは接着されている。好ましいエラストマースクリム１２４は、コンウエッド・プラスチックス社(Conwed Plastics Company)によってX02514という名称で製造されている。この材料は、構造方向Ｂにおいて１インチあたり約１２個の弾性ストランド(すなわち第一ストランド１２５)と、構造方向Ｄにおいて１インチあたり約７個の弾性ストランド(すなわち第二ストランド１２７)とを有している。
【００５４】
図１１に示されているもう１つの好ましい実施形態において、エラストマー材料１２４は、多孔質巨視的膨張三次元エラストマーウエブ１７２を備えていてもよい。ウエブ１７２は、連続第一表面１７４と第一表面１７４から離れている不連続第二表面１７６とを有している。エラストマーウエブ１７２は好ましくは、少なくとも２つのポリマー層を有する成形フィルムを備えており、これらの層の少なくとも１つはエラストマー層１７８であり、その他の層の少なくとも１つは、実質的により低いエラストマー性のスキン層１８２である。エラストマーウエブは、ウエブ１７２の第一表面１７４において多数の第一開口部１８４を示しており、主開口部１８４は、相互連結部材１８６の連続ネットワークによって第一表面１７４の平面において画定されている。各々の相互連結部材１８６は、その長さに沿って上向き凹形状横断面を示している。相互連結部材１８６は、互いに実質的に同時に終了して、ウエブの第二表面の平面において第二開口部１８８を形成している。このような構造の詳細及び製造方法は、１９９７年３月１４日に出願された米国特許出願第０８/８１６,１０６号に開示されている。好ましい多孔質エラストマー材料１２４は、トレデガー・フィルム・プロダクツ社(Tredegar Film Products)によってX-25007という名称で製造されている。主開口部１８４は、あらゆる形状を有していてもよい。好ましくは主開口部１８４は、長軸と、前記長軸に垂直な短軸とを有する形状、例えば卵形状を有しており、長軸は加えられる歪誘発応力と一般に直交的に配向されている。
【００５５】
図８に示されている実施形態において、サイド弾性部材７０は、第一カバー素材層１２２と第二カバー素材層１２６、及び第一カバー素材層１２２及び第二カバー素材層１２６の中に配置されているサイドエラストマー材料１２４を備えている。第一カバー素材層１２２は、内側表面１４２と外側表面１４４とを有している。第一カバー素材層１２２の内側表面１４２は、サイドエラストマー材料１２４の方に向けて配置されている表面である。第二カバー素材層１２６も、内側表面１４６と外側表面１４８とを有している。第二カバー素材層１２６の内側表面１４６は、サイドエラストマー材料１２４の方に向けて配置されている表面である。サイドエラストマー材料１２４はまた、２つの平らな表面、すなわち第一表面１５０と第二表面１５２とを有している。これらの各々は、第一カバー素材層１２２及び第二カバー素材層１２６の平面と実質的に平行である。第一表面１５０は、第一カバー素材層１２２の内側表面１４２の最も近くに隣接したサイドエラストマー材料１２４の平らな表面である。第二表面１５２は、第二カバー素材層１２６の内側表面１４６の最も近くに隣接したサイドエラストマー材料１２４の平らな表面である。
【００５６】
サイド弾性部材７０が使用前及び使用中に機械的ストレッチングに付されるので、第一カバー素材層１２２及び第二カバー素材層１２６は、好ましくは比較的高い破断点伸びを有し、より好ましくはストレッチ性又は伸長性があり、さらにより好ましくは圧伸性があり(しかしながら必ずしもエラストマー性はない)、この際、不当な裂けも引き裂きも伴わず、好ましくはまったく伴わない。さらには第一カバー素材層１２２及び第二カバー素材層１２６は、好ましくは柔軟で感触が柔らかく、装着者の皮膚に刺激を与えず、この製品に、布製衣服のような感触と快適性とを与える。第一カバー素材層１２２及び第二カバー素材層１２６に適した材料は、広い範囲の材料から製造することができる。例えばプラスチックフィルム、開口プラスチックフィルム、天然繊維(例えば木材繊維又は綿繊維)、合成繊維(例えばポリオレフィン、ポリアミド、ポリエステル、ポリエチレン、又はポリプロピレン繊維)の織布又は不織布ウエブ、又は天然繊維及び/又は合成繊維の組合わせ、又はコート織布又は不織布ウエブである。
【００５７】
好ましくは第一カバー素材層１２２及び第二カバー素材層１２６の各々は、同一の不織布材料である。好ましい不織布材料の一例は、ファイバーウエブ社から１８〜３５ｇ/ｍ2の範囲の坪量を有するDAPP-Sテックスという名称で製造されている。不織布は、圧縮されて(consolidated)いてもよく、圧縮されていなくてもよい。好ましくは不織布は、エラストマースクリム用としてカバー素材層を使用するために圧縮されている。この材料は、圧縮前１８〜３５ｇ/ｍ2の範囲の坪量と、圧縮後約４０〜７０ｇ/ｍ2の範囲の坪量とを有している。ここで用いられている「坪量」とは、平面ウエブ材料の１平方メートルの重量である。あるいはまた、高度に歪可能な不織布材料を用いることもできる。あるいはまた、所望の性能の必要条件、例えば弾性性能、柔らかさ、柔軟性、通気性、及び耐久性が満たされる限り、第一カバー素材層１２２と第二カバー素材層１２６とは、同一の材料製である必要はない。ここで用いられている「圧縮不織布材料」とは、材料が低い力を受けて構造方向Ｄに伸びることができるように、構造方向Ｄにおいて機械的張力下にギャザーが寄せられるか、あるいはネックされた不織布材料のことを言う。
【００５８】
図９は、ラミネート１２０(すなわちサイド弾性部材７０)の構造方向Ｂの方を見た断片拡大側面図である。サイドアンカーゾーンＡが生じるようにラミネート１２０が接着あるいはアンカー留めされている時、このようなラミネート１２０は、高度に弾性であると同時に、実質的に離層及びクリープを含んでおらず、一方で、必要とされるあらゆる性能特性間のトレードオフを伴わずに、すべての性能カテゴリーにおいて非常に良好な性能特性を与えることが発見された。サイドアンカー留めは好ましくは、接着剤ビーズでのサイドグルーイングによって実施され、ラミネーションプロセスの一部として第一カバー素材層１２２と第二カバー素材層１２６との間でサイドエラストマー材料１２４をアンカー留めする。あるいはまたサイドアンカー留めは、縫合、ヒートシール、超音波接着、ニードルパンチ、これに代わるグルーイングプロセスによって、あるいは当業者に知られているその他のあらゆる手段で実施されてもよい。もう１つの方法は、エラストマー要素とカバー素材要素とのラミネーションが実施された後で、ラミネート構造のこれらの層をサイドアンカー留めすることである。
【００５９】
好ましくはラミネート１２０は特に、装着者及び消費者に非常に良好な柔らかい感触を与えることができる。消費者は柔らかさを尊重するのでこのことは重要である。通常のラミネートにおいて、クリープを取り除く試みでは、許容できない柔らさの低下を要することが多く、活性化能力における許容できない低下を伴うことが多かった。これは、このような以前の試みが(クリープを除去するには至らず)、接着を強化しようとして、多くの場合全体的なコーティングパターンとしての追加のメルトブローン接着剤の塗布に集中したからである。このことは一般に、ラミネートの望ましくない全体的剛化を結果として生じた。しかしながら好ましい実施形態のラミネートは、消費者が望む柔らかい感触を失わず、活性化能力との妥協を伴わなずにクリープの除去を与える。
【００６０】
図９を参照すると、第一接着剤１７０は、ラミネート構造１２０の外側部分１８０の各々に対応する位置において、第二カバー素材層１２６の内側表面１４６に塗布されている。第一接着剤１７０はあるいはまた、又はそれに加えて、第一カバー素材層１２２の内側表面１４２に塗布されてもよい。例証を容易にするために、説明及び図面は、第二カバー素材層１２６への塗布のみに関している。
【００６１】
このパターンは、サイドアンカーゾーンＡを生じ、これは実質的には、以前に知られていたラミネートと関連した離層及びクリープを実質的に取り除き、これによってラミネート１２０がクリープも離層も伴わずにより高い歪を受けることができる。同様に、第一接着剤１７０をラミネート構造１２０の縁区域１８０に限定すると、ラミネート１２０の延伸性を妨げるのを防ぎ、同様にカバー素材層１２２及び１２６における裂けをも防ぐ。好ましくは第一接着剤１７０は、図９に示されているように複数のビーズ１６８として塗布される。好ましくは第一接着剤１７０は、非晶質成分及び結晶化成分を備えた柔軟性接着剤である。このような好ましい接着剤は、フィンドレイ・アドヒーシブ社によってH9224という名称で製造されている。
【００６２】
より好ましくはラミネート１２０は、第二接着剤１６４を含んでいる。第二接着剤１６４は好ましくは、サイドエラストマー材料１２４の第二表面１５２に塗布されるが、あるいはまたエラストマー材料１２４の第一表面１５０に塗布されてもよいであろう。第二接着剤１６４は好ましくは、螺旋スプレーパターン１６６として塗布され、これによって、線状スプレー塗布によって形成されるものよりもより離散した接着点１６７bが形成される。理論に結び付けられるわけではないが、このようにスプレーされた第二接着剤１６４の大部分は、構造方向Ｄに整合すると考えられる。従って螺旋パターンは、結果として非常に良好な活性化特性を生じる。ここで用いられている「活性化」とは、ストレッチする能力のことを言う。
【００６３】
第二接着剤層１６４をサイドエラストマー材料１２４の第二表面１５２に直接スプレーすることは、反対側(すなわち第二)カバー素材層１２６に第二接着剤１６４を塗布するよりも好ましいということが分かった。これは、第二接着剤１６４が、サイドエラストマー材料１２４の表面に留まっていることがある残留加工処理剤又は油を通って浸透する傾向があるからである。このような残留材料は、サイドエラストマー材料１２４の表面に留まったままにされるならば、接着剤接着を弱め、従ってラミネート構造１２０を経時的に弱めることがある。例えばこのような残留材料がそのままにされるならば、ラミネート１２０を形成するために用いられる接着は、消費者がこの製品を購入する前の期間の間に弱まることがある。
【００６４】
螺旋接着剤区域におけるラミネート１２０についての剥離値(peel value)は、螺旋１６６が反対側(すなわち第二)カバー素材層１２６よりもサイドエラストマー材料１２４に直接塗布される時の方が一般的により高い。ここでの「剥離値」とは、カバー素材材料の２つの層１２２及び１２６を互いから分離するために必要な力の量のことを言う。一般的に剥離値が高いほど、使用中に離層する可能性が小さくなる。
【００６５】
第三接着剤１６０もまた好ましくは、第一カバー素材層１２２の内側表面１４２に塗布されてもよい。好ましくは第三接着剤１６０はエラストマー接着剤である。第二螺旋接着剤塗布１６６に関連して記載されている方法と同様に、第一接着剤１６０は好ましくは螺旋スプレーパターン１６２として塗布され、これにより線状スプレー塗布によって形成される場合よりもより離散された接着点１６７ａが形成される。理論に結び付けられるわけではないが、このようにスプレーされた第一接着剤１６０の大部分は、構造方向Ｄにおいて整合されると考えられる。
【００６６】
好ましくは第二接着剤１６０と第三接着剤１６４とは、同じエラストマー接着剤である。第二接着剤螺旋スプレー１６２及び第三接着剤螺旋スプレー１６６に用いるのに好ましい接着剤は、フィンドレイ・アドヒーシブ社によってH2120という名称で製造されている。好ましくは第二螺旋スプレー１６２及び第三螺旋スプレー１６６の各々についての添加レベルは、約０.０６２〜約０.１８６ｇ/ｍ2、より好ましくは約０.１２４ｇ/ｍ2である。
【００６７】
図１を参照すると、引き上げ装着おむつ２０はさらに、連続延伸性ウエスト部材６０を有している。連続延伸性ウエスト部材６０は、改良されたフィット、装着の容易さ、及び封じ込めを与える。連続延伸性ウエスト部材６０は、弾性的延伸性があり、かつ収縮して装着者のウエストに動的にフィットするための引き上げ装着おむつ２０の部分又はゾーンである。連続延伸性ウエスト部材６０は、ウエストバンドパネル６及び７に沿って延びている。好ましくは連続延伸性ウエスト部材６０は、次のような２つの別々の要素を備えている。１つは、前部２６に位置する連続延伸性ウエストバンド５７、もう一方は後部２８に位置する連続延伸性ウエストバンド５９である。但し、別の引き上げ装着おむつは、単一連続延伸性ウエストバンドで構成されていてもよい。同様に図７を参照すると、連続延伸性ウエストバンド５７及び５９は、好ましくはウエストエラストマー材料２００(図８に示されている)、及び吸収性コア２５と組合わせて配置された複数の層、例えばトップシート２４及びバックシート２２の少なくとも１つの延長部分を有するウエスト弾性部材８０を備えている(但し、図７は前部２６における構造のみを示しており、好ましくは後部２８における構造は、前部２６におけるものと同じであるか、あるいは同様である)。好ましくは連続延伸性ウエストバンド５７及び５９は、少なくとも側面方向に、より好ましくは側面方向と長手方向との両方に弾性的延伸性がある。好ましい実施形態において、ウエストバンドパネル６及び７は、少なくともウエストバンドパネル６及び７の側面方向の長さ全体において延伸性のあるものにされ、ウエスト弾性部材８０によって連続延伸性ウエストバンド５７及び５９が形成される。図３に示されている実施形態において、ウエスト弾性部材８０は、シームパネル１２及び１３の中まで延びていてもよく、従って連続延伸性ウエストバンド５７と連続延伸性ウエストバンド５９とは、シーム３２において互いにアンカー留めされ、前部２６におけるウエスト弾性材料８０と後部２８における弾性材料８０とは、シーム３２においてアンカー留めされている(図７はまた、シームパネル１２及び１３の中まで延びているウエスト弾性部材８０をも示している。但し、シームパネル１２及び１３は図７に示されていない)。連続延伸性ウエストバンド５７及び５９は、図１に示されているような引き上げ装着おむつ２０の組立てられた形状において１つの連続延伸性ウエスト部材６０を形成する。
【００６８】
連続延伸性ウエストバンド５７及び５９は、引き上げ装着おむつ２０のユニット型要素によって形成されていてもよい(すなわち、これらは引き上げ装着おむつ２０に固定された別々に操作される要素ではなく、むしろ引き上げ装着おむつの様々な層の１つ又はそれ以上から形成されており、その延長部分である)。好ましい実施形態において、連続延伸性ウエストバンド５７及び５９の各々は、シャシー４１の突出部材を備えている。好ましくは連続延伸性ウエストバンド５７及び５９は、少なくとも１つのユニット型要素、あるいはシャシー４１の一部を形成して連続延伸性ウエストバンド５７及び５９の中まで連続的に延びている連続シート材料を備えている。あるいはまた連続延伸性ウエストバンド５７及び５９は、シャシー４１の一部を形成するユニット型要素を有していない離散部材であってもよい。連続延伸性ウエストバンド５７及び５９は、シャシー４１のウエスト部分に離散部材を接合することによって形成されていてもよい。
【００６９】
連続延伸性ウエストバンド５７及び５９は、ウエスト弾性部材８０と、吸収性コア２５と組合わせて配置された複数の層、例えばトップシート２４及びバックシート２２の少なくとも１つの延長部分とを備えている。追加層、例えば内側バリヤーカフス５４又は追加液体吸収性ティシュー層が、吸収性コア２５と組合わせて加えられているならば、この追加層は、連続延伸性ウエストバンド５７及び５９の一部を形成してもよい。図７に示されている好ましい実施形態において、連続延伸性ウエストバンド５７のサイド部分５７Ｂは、内側バリヤーカフス５４の延長部分７２、不織布外側カバー２３の末端延長部分２３Ａ、及びウエスト弾性部材８０のサイド部分のラミネーションを備えている。延伸性ウエストバンド５７の中央部分５７Ａは、トップシート２４の末端延長部分２４Ａ、不織布外側カバー２３の末端延長部分２３Ａ、及びウエスト弾性部材８０の中央部分のラミネーションを備えている(但し図７は、前部２６における構造しか示しておらず、好ましくは後部２８の構造は、前部２６のものと同じであるか、又は同様のものである)。しかしながらこの実施形態において、内側バリヤーフィルム６８は、連続延伸性ウエストバンド５７の中まで延びていない。あるいはまた内側バリヤーカフス５４、トップシート２４、及び/又は不織布外側カバー２３は、連続延伸性ウエストバンド５７の中まで延びていなくてもよい。内側バリヤーカフス５４の延長部分７２はまた、連続延伸性ウエストバンド５７の中まで延びていなくてもよい。トップシート２４と不織布外側カバー２３との両方が、連続延伸性ウエストバンド５７の中まで延びていないならば、連続延伸性ウエストバンド５７は、内側バリヤーフィルム６８及びウエスト弾性部材８０の延長部分を備えていてもよい。
【００７０】
ウエスト弾性部材８０は、引き上げ装着おむつ２０の最も内側の表面(体側表面)の内部に積重ねられている。ウエスト弾性部材８０は、内側バリヤーカフス５４の延長部分７２、不織布外側カバー２３の末端延長部分２３Ａ、及びトップシート２４の末端延長部分２４Ａに機能的に接合されていてもよい。ウエスト弾性部材８０は、断続的接合形状であるか、あるいは実質的に連続的な接着形状かのどちらかを用いてこれらに機能的に接合されていてもよい。特に好ましい実施形態において、選択された接着剤は、約０.１１６ｇ/ｍ2の坪量で螺旋パターンに塗布されている(例えば米国特許第３,９１１,１７３号(Sprague, Jr.)及び米国特許第４,８４２,６６６号(Werenicz)に示されている)。これらの螺旋は、約１.９ｃｍ(０.７５インチ)の幅を有しており、互いのすぐ隣に配置されているか、あるいはわずかに(２ｍｍ未満)重なり合っている。接着剤は好ましくは、フィンドレイ・アドヒーシーブス社からH2120という名称で入手しうるような接着剤である。あるいはまたウエスト弾性部材及びストレッチラミネートのその他のあらゆる要素は、熱接着、圧力接着、超音波接着、動的機械的接着、又はこの技術で知られているその他のあらゆる方法を用いて互いに断続的又は連続的に接着されていてもよい。
【００７１】
ウエスト弾性部材８０の全体は好ましくは、左右の内側バリヤーカフス５４の延長部分７２、トップシート２４の末端延長部分２４Ａ、及び不織布外側カバー２３の末端延長部分２３Ａに機能的に接合される前に、側面方向に予備歪が与えられている。ウエスト弾性部材８０の全体は、シャシー４１のウエストバンドパネル６及び７の少なくとももとの長さまで側面方向に予備歪が与えられている。ウエスト弾性部材８０の全体はさらに予備歪が与えられて、シームパネル１２及び１３の一部の中まで延びていてもよい。この実施形態において、シャシー４１のウエストバンドパネル６及び７は、左右の内側バリヤーカフス５４の延長部分７２、トップシート２４の末端延長部分２４Ａ、及び不織布外側カバー２３の末端延長部分２３Ａを備えている。ここでの「もとの長さ」とは、弾性的延伸性にされる前、及び永久的に機械的ストレッチされる前の単一材料又は複合材料の長さのことを言う。ここでの予備歪が与えられた弾性材料の「長さ全体」とは、弾性材料の一部又は長さ全体が側面方向に予備歪が与えられている条件下における、弾性材料の全体のことを言う。この実施形態において、ウエストバンドパネル６及び７のもとの長さは、ウエスト弾性部材８０がこれに接合される前、組立てられた形状における左右の内側バリヤーカフス５４の延長部分７２とトップシート２４の末端延長部分２４Ａとの組合わせた長さと一般に同じである。ウエストバンドパネル６及び７のもとの長さもまた一般に、ウエスト弾性部材８０がこれに接合される前、不織布外側カバー２３の末端延長部分２３Ａの長さと同じである。ウエスト弾性部材８０は好ましくは、これの歪が与えられていない(すなわち非張力)長さの２０〜１００％の範囲で予備歪が与えられている。より好ましくはウエスト弾性部材８０は、４０〜８０％の範囲で予備歪が与えられていてもよい。予備歪が与えられているウエスト弾性部材８０が接合された後、ついでウエスト弾性部材８０は、その他の要素、例えばウエスト弾性部材８０に接合されている内側バリヤーカフス５４の延長部分７２、トップシート２４の末端延伸部分２４Ａ、及び不織布外側カバー２３の末端延長部分２３Ａと共に、実質的に非張力状態に戻される。このようにして、連続延伸性ウエストバンド５７及び５９が形成されるが、これは、ウエスト弾性部材８０の非張力長さから、シャシー４１のウエストバンドパネル６及び７の少なくとももとの長さまで延伸性がある。
【００７２】
あるいはまた、複数の層の少なくとも１つの延長部分に機能的に接合される前に、ウエスト弾性部材８０の一部のみに予備歪が与えられてもよい。従ってウエスト弾性部材８０の一部に予備歪が与えられている状態において、予備歪が与えられたウエスト弾性部材８０の長さ全体は一般に、シャシー４１のウエストバンドパネル６及び７のもとの長さと同じである。好ましくはウエスト弾性材料８０に隣接した吸収性コア２５の側面方向幅Ｘ(図３に示されている)に沿って延びているウエスト弾性材料８０の一部のみに、予備歪が与えられていてもよい。
【００７３】
延伸性材料の例は、１９３７年３月３０日にGalliganに発行された米国特許第２,０７５,１８９号；１９６２年３月１３日にHarwoodに発行された米国特許第３,０２５,１９９号；それぞれ１９７８年８月１５日及び１９８０年６月２４日にSissonに発行された米国特許第４,１０７,３６４号及び第４,２０９,５６３号；１９８９年５月３０日にSabeeに発行された米国特許第４,８３４,７４１号；及び１９９２年９月２９日にBuellらに発行された米国特許第５,１５１,０９２号に開示されている。
【００７４】
連続延伸性ウエストバンド５７及び５９は、非張力ウエスト弾性部材８０の長さから、シャシー４１のウエストバンドパネル６及び７の少なくとももとの長さまで延伸性になるように形成されている。しかしながらウエスト弾性部材８０は通常、吸収性コア２５と組合わせて配置された複数の層、例えば実質的に非弾性であるトップシート２４及びバックシート２２の少なくとも１つの延長部分に接合されている。従ってウエスト弾性部材８０は、非張力ウエスト弾性部材８０の長さとシャシー４１のウエストバンドパネル６及び７のもとの長さとの間でのみ延伸することができ、シャシー４１のウエストバンドパネル６及び７のもとの長さを超えて延びることはできない。このことは、ウエストエラストマー材料８０それ自体が、シャシー４１のウエストバンドパネル６及び７のもとの長さ又は予備歪が与えられたウエストエラストマー材料８０の長さ全体を超えて延びることができたとしても、連続延伸性ウエストバンド５７及び５９(すなわち連続延伸性ウエスト部材６０)の延伸範囲の上限を制限する。延伸範囲の上限におけるこの制限によって、連続延伸性ウエストバンド５７及び５９に対して十分な延伸性が与えられない。従って引き上げ装着おむつ２０が装着者への装着のために延伸された時、この引き上げ装着おむつ２０は、ウエスト開口部に十分なサイズを与えることはできず、おむつを装着させる人は、ウエスト開口部の十分なサイズを得るために、引き上げ装着おむつ２０における他の延伸性材料から延伸性を求めようとして、引き上げ装着おむつ２０にはるかに高い力を加えなければならない。このことによって、引き上げ装着おむつを装着者に装着させるのが難しくなることがある。
【００７５】
従って連続延伸性ウエストバンド５７及び５９は、シャシー４１のウエストバンドパネル６及び７のもとの長さ、又は予備歪が与えられたウエスト弾性部材８０の長さ全体を超えて、より大きい範囲の延伸性(すなわち延伸範囲)を与えるために弾性的延伸性にされる。すなわち、ウエスト弾性部材８０が、予備歪が与えられている(張力)状態で内側バリヤーカフス５４、トップシート２４、及び不織布外側カバー２３に機能的に接合された後で、及びその実質的に非張力のもとの状態に戻る前、結果として生じた複合ストレッチラミネート(すなわち連続延伸性ウエストバンド５７及び５９)の少なくとも一部分、好ましくは全体は、ついで非弾性要素を永久に伸ばすのに十分な機械的ストレッチングに付される。これらの非弾性要素は、左右の内側バリヤーカフス５４の延長部分７２、トップシート２４の末端延長部分２４Ａ、不織布外側カバー２３の末端延長部分２３Ａ、及びウエスト弾性部材８０の一部を構成するカバー素材層(もしあれば)である。ついで複合ストレッチラミネートは、実質的に非張力状態に戻される。従ってウエスト弾性部材８０は、シャシー４１のウエストバンドパネル６及び７のもとの長さ以上の非張力長さから、少なくとも非弾性要素の永久伸びされた長さまで延伸性がある。これによって連続延伸性ウエストバンド５７及び５９に、より幅広い延伸範囲が与えられ、これにより装着の容易さという利点が与えられる。あるいはまたウエスト弾性部材８０は、「ゼロ歪」ストレッチラミネートを形成するように、実質的に非張力(ゼロ歪)状態において内側バリヤーカフス５４、トップシート２４、及び不織布外側カバー２３に接合されてもよい。好ましい装置及び方法は、１９９２年１２月１日にWeberらに発行された米国特許第５,１６７,８９７号；１９９０年１０月２０日にBuellらに発行された米国特許第５,１５６,７９３号；１９９２年９月１日にWeberらに発行された米国特許第５,１４３,６７９号、及び１９９８年５月７日に(Christoph J.Schmitzら)出願された「移動ウエブを活性化させるための方法及び装置(Method And Apparatus For Activating A Moving Web)」と題する欧州特許出願第９８１０８２９０.２号に開示されている。
【００７６】
ウエスト弾性部材８０は、サイドエラストマー材料１２４と同じ材料/構造を用いることができるウエストエラストマー材料２００を備えている。あるいはまた、ウエストエラストマー材料２００は、サイドエラストマー材料１２４とは異なる材料/構造を用いてもよい。ウエスト弾性部材８０はさらに、第一カバー素材層２０２及び第二カバー素材層２０４のうちの１つ又は両方を含んでいてもよい。ウエスト弾性部材８０の構造は、サイド弾性部材７０のものと同じであるか又は同様のものであってもよい。カバー素材層２０２及び２０４の構造、材料及び/又は特性は、カバー素材層１２２及び１２６のものと同じであるか又は同様なものであってもよく、あるいはこれらと異なっていてもよい。さらにはウエストエラストマー材料２００をカバー素材層２０２及び２０４に接合する方法は、前記耳パネル部材７０に記載されている方法と同じであるか、あるいは同様であってもよく、あるいはこれらと異なっていてもよい。好ましい実施形態において、ウエスト弾性部材８０は、ウエストエラストマー材料２００、及びカバー素材層２０２又は２０４の１つの層を備えている。このような場合、ウエストエラストマー材料２００は、内側バリヤーカフス５４及びトップシート２４の方に向くように配置されており、カバー素材層２０２又は２０４は、装着者の体の方に向いてこれと接触するように配置されており、従って装着者の皮膚は、ウエストエラストマー材料２００によって直接押付けられず、これによって皮膚への紅斑の発生が減らされる。
【００７７】
図１２は、連続延伸性ウエストバンド５７及び５９のもう１つの好ましい実施形態を示している。この実施形態において、ウエスト弾性部材８０は、不織布外側カバー２３の内部に積重ねられている。好ましくは連続延伸性ウエストバンド５７のサイド部分５７Ｂにおいて、ウエスト弾性部材８０は、内側バリヤーカフス５４の延長部分７２と不織布外側カバー２３の末端延長部分２３Ａとの間に挿入されている。中央部分５７Ａにおいて、ウエスト弾性部材８０は、トップシート２４の末端延長部分２４Ａと不織布外側カバー２３の末端延長部分２３Ａとの間に挿入されている。ウエスト弾性部材８０は、内側バリヤーカフス５４の延長部分７２、不織布外側カバー２３の末端延長部分２３Ａ、及びトップシート２４の末端延長部分２４Ａに機能的に接合されていてもよい。１つの実施形態において、ウエスト弾性部材８０は、ウエストエラストマー材料２００と、カバー素材層２０２又は２０４のうちの１つの層とを備えていてもよい。１つの場合において、ウエストエラストマー材料２００は、内側バリヤーカフス５４及びトップシート２４に向けて配置され、カバー素材層２０２又は２０４は、不織布外側カバー２３に向けて配置されている。カバー素材層のこの配置は、ウエストエラストマー材料２００を外側から見えなくする傾向があるが、その理由は、１つの層(カバー素材層)が加えられて、ウエストエラストマー材料２００と不織布外側カバー２３との間に挿入されるからである。もう１つの場合、ウエストエラストマー材料２００は、不織布外側カバー２３に向けられるように配置されており、カバー素材層２０２又は２０４は、内側バリヤーカフス５４及びトップシート２４の方に向けられるように配置されている。カバー素材層のこの配置は、皮膚への紅斑の発生を減少させる傾向があるが、その理由は、１つの層(カバー素材層)が加えられて、ウエストエラストマー材料２００と装着者の皮膚との間に挿入されるからである。どちらの場合も、カバー素材層の１つが取り除かれるので(２つの層のカバー素材層と比較して)、連続延伸性ウエストバンド５７におけるかさ張りが減るからである。さらには連続延伸性ウエストバンド５７における通気性は、その中に材料が少なくなるので向上する。さらには連続延伸性ウエストバンド５７は、より有効な延伸性を有するようになる。連続延伸性ウエストバンド５７は、ウエストエラストマー材料２００を備えたウエスト弾性部材８０によって形成されているが、この材料２００は、予備歪が与えられ、ついで好ましい実施形態におけるもとの非張力状態に戻される。ウエストエラストマー材料２００がそのもとの非張力状態に戻る時、ウエストエラストマー材料２００に接合されたその他の要素は、ウエストエラストマー材料２００がそのもとの非張力長さに戻るのを阻害する傾向がある。従ってウエストエラストマー材料２００は、延伸性全部を利用することはできない。しかしながら前記実施形態において、連続延伸性ウエストバンド５７におけるかさ張りが減るので、ウエストエラストマー材料２００は、そのもとの非張力長さの最も近くまで戻ることができる。従ってウエストエラストマー材料２００は、より多くの有効延伸性を有するようになる。
【００７８】
あるいはまたウエスト弾性部材８０は、カバー素材層を含まないウエストエラストマー材料２００の１つの層を備えていてもよい。延伸性ウエストバンド５７のサイド部分５７Ｂにおいて、ウエストエラストマー材料２００は、内側バリヤーカフス５４の延長部分７２と不織布外側カバー２３の末端延長部分２３Ａとの間に挿入され、かつ直接接合されている。中央部分５７Ａにおいて、ウエストエラストマー材料２００は、トップシート２４の末端延長部分２４Ａと、不織布外側カバー２３との間に挿入され、かつ直接接合されている。この構造はまた、かさ張りを小さくするため、及び通気性を増すため、及び延伸性ウエストバンド５７においてより大きい有効延伸性を有するためにも有用である。
【００７９】
サイド弾性部材７０及びウエスト弾性部材８０は、別々の要素から構成されており、部材７０及び８０はどちらも好ましくは、長手方向において互いに重なり合わないように配置されている。しかしながら部材７０及び８０はどちらも好ましくは、その中に実質的な隙間がないように配置されており、従って部材７０及び８０は、延伸性耳部４６及び４８において複合エラストマーネットワークを形成する。ここでの「複合エラストマーネットワーク」とは、２つ又はそれ以上の別々のエラストマー材料が、エラストマー材料間に隙間なく、又は予め決められた間隔を伴って実質的に連続しており、これによって単一エラストマー材料のような延伸性挙動を示すゾーン又は区域のことを言う。好ましくは部材７０及び８０はどちらも隙間なく配置されている。従って延伸性耳部４６及び４８、及び連続延伸性ウエストバンド５７及び５９のサイド部分５７Ｂ及び５９Ｂは、引き上げ装着おむつ２０の組立てられた形状においてウエスト開口部３６と脚部開口部との間に単一連続エラストマー材料を備えていると認識される。サイド弾性部材７０及びウエスト弾性部材８０は、別々の要素から構成され、従ってサイドエラストマー材料１２４及びウエストエラストマー材料２００もまた、別々の要素から構成されている。この別々の構造によって、各要素において異なる材料を用いたサイドエラストマー材料１２４及びウエストエラストマー材料２００の設計が可能になり、従ってこれによって、異なる延伸特性、例えば引き上げ装着おむつ２０の様々な部分についての力対延伸曲線が可能になる。この別々の構造はまた、異なる状態例えば予備歪が与えられた(張力)状態又は非張力状態にあるサイドエラストマー材料１２４及びウエストエラストマー材料２００の使用をも可能にする。これによって、引き上げ装着おむつ２０の様々な部分を同じ長さまで延伸させるのに必要な力の差別化が可能になり、あるいは様々な部分を異なる長さまで延伸させるのに必要な力を等しくし、これによって装着者の皮膚に加えられる圧力を調節することができる。例えば引き上げ装着おむつ２０は、低い力で高い延伸性が備えられたウエストエラストマー材料２００を有していてもよく、従って連続延伸性ウエスト部材６０は、引き上げ装着おむつ２０の装着を容易にするために、おむつを装着させる人によって加えられる低い力によって容易に延伸される一方、引き上げ装着おむつ２０は、延伸性耳部４６及び４８における持続したフィットに必要とされるサイドエラストマー材料１２４から発生する力を有していてもよいが、この力は皮膚に紅斑を生じさせない。１つの実施形態において、ウエストエラストマー材料２００を備えた連続延伸性ウエスト部材６０は、少なくとも１００％の延伸性を有するように設計されているが、一方でサイドエラストマー材料１２４を備えた延伸性耳部４６及び４８は、これが５０％まで延伸された時(より具体的にはＳＣＲＦ５０％において)、４０ｇ/インチ〜１３０ｇ/インチの力を有するように設計されている。
【００８０】
サイド弾性部材７０とウエスト弾性部材８０とはどちらも、長手方向に互いに重なり合わないように配置され、従ってサイドエラストマー材料１２４及びウエストエラスマー材料２００もまた重なり合わない。サイド弾性部材７０及びウエスト弾性部材８０は構造的に重なり合っていないので、各部材７０及び８０は単一の延伸性材料を備えており、従ってこれは、実質的に均質な延伸特性を有している。これによって装着させる人は、引き上げ装着おむつの装着のために延伸中に加えられる力の変化を感じることなく、滑らかに引き上げ装着おむつ２０を延伸させることができる。
【００８１】
シーム３２は各々、シームパネル１２と１３とを接合し、これによって延伸性耳部４６及び４８の対応部分を接合し、これによって２つの脚部開口部３４と１つのウエスト開口部３６とを形成する。前部及び後部延伸性耳部４６及び４８は、好ましくは外側サイド縁４６Ｄ及び４８Ｄに沿って、重なり合うように継ぎ合わされ、重なり合ったシーム構造がつくられる。あるいはまた前部及び後部延伸性耳部４６及び４８は、バットシーム式にシームされていてもよい(図面には示されていない)。シーム３２の接着は、前部延伸性耳部４６及び後部延伸性耳部４８に用いられている特定の材料に適した、この技術で知られているあらゆる適切な手段によって実施されてもよい。従って音波シール、ヒートシール、圧力接着、接着剤、又は凝集接着、縫合、自己(autogeneous)接着等が、適切な技術であろう。好ましくはシームパネル１２と１３とは、装着中に引き上げ装着おむつ２０に発生した力及び応力に耐えるような、熱/圧力又は超音波溶接の予め決められたパターンによって接合される。シーム３２はまた、連続延伸性ウエストバンド５７と５９とを連結して、ウエスト開口部３６の周りで連続延伸性ウエスト部材６０を形成する。サイド弾性部材７０及びウエスト弾性部材８０が、シームパネル１２及び１３の中まで延びている時、シーム３２は、前部２６のサイド弾性部材７０を、後部２８のサイド弾性部材７０にアンカー留めし、前部２６のウエスト弾性部材８０を後部２８のウエスト弾性部材８０にアンカー留めする。シームの例は、１９９６年１０月２９日にBuellらに発行された米国特許第５,５６９,２３４号、１９９７年３月４日にJohnsonらに発行された米国特許第５,６０７,５３７号、１９９７年９月２日にJohnsonらに発行された米国特許第５,６６２,６３８号、及び１９９７年１１月１１日にBuellらに発行された米国特許第５,６８５,８７４号である。好ましいシームは、１９９６年１１月２１日に出願された(Christoph J. Schmitz)「ウエブの熱接合(Thermal Joining of Webs)」と題する欧州特許出願第９６１１８６５４.１号に開示されている。
【００８２】
好ましい実施形態において外側サイド縁４６Ｄ及び４８Ｄは、内側サイド縁４６Ｃ及び４８Ｃに平行ではなく、長手方向中心線１００にも平行でない。外側サイド縁４６Ｄ及び４８Ｄは、低い方の端縁４６Ｂ及び４８Ｂの近くで側面方向に外側に突出している。延伸性耳部４６及び４８は、高い方の端縁４６Ａ及び４８Ａの近くの内側サイド縁４６Ｃ及び４８Ｃと外側サイド縁４６Ｄ及び４８Ｄとの間の側面方向幅Ｌ２よりも大きい、低い方の端縁４６Ｂ及び４８Ｂの近くの内側サイド縁４６Ｃ及び４８Ｃと外側サイド縁４６Ｄ及び４８Ｄとの間の側面方向幅Ｌ１を有している。従って延伸性耳部４６及び４８の側面方向における有効エラストマー材料の量は、高い方の端縁４６Ａ及び４８Ａの近くよりも低い方の端縁４６Ｂ及び４８Ｂの近くの方が大きい。低い方の端縁４６Ｂ及び４８Ｂの近くの延伸性は向上している。さらには、延伸性耳部４６及び４８はどちらも、低い方の端縁４６Ｂ及び４８Ｂの近くで、より大きい側面方向幅(すなわち有効エラストマー材料の量)を有するので、側面方向幅(すなわち有効エラストマー材料の量)はさらに、延伸性耳部４６と延伸性耳部４８とを組合わせることによって、低い方の端縁４６Ｂ及び４８Ｂの近くでより大きくなる。この形状は低い方の端縁４６Ｂ及び４８Ｂの近くでより大きい幅を有するので、引き上げ装着おむつは、脚部開口部の周りでの有効なエラストマー材料の量がより多いが、一方で引き上げ装着おむつは、ウエスト開口部の周りではエラストマー材料の量を維持している。従って引き上げ装着おむつは、ウエスト開口部の周りで持続したフィットを維持しつつ、脚部開口部の周りで好ましくない皮膚への影響を引起すほど高すぎる圧力を皮膚に与えない。延伸性耳部４６と延伸性耳部４８とが接合されているような形状において、シーム３２は、図１３に示されているように長手方向中心線１００に平行でなく、従ってシーム３２は、シーム３２の低い方の部分３２Ａの近くで側面方向に外側に突出している。さらには上で説明されているように、ウエスト弾性部材８０は、張力(予備歪が与えられた)状態においてシャシー４１のウエストバンドパネル６及び７に接合され、実質的に非張力状態に戻される一方で、サイド弾性部材７０は、非張力状態において延伸性耳部４６及び４８に接合される。従って連続延伸性ウエスト部材６０の周りの引き上げ装着おむつ２０の円周はさらに、延伸性耳部４６及び４８の一部分を通る引き上げ装着おむつ２０の円周よりも、非張力状態において小さくなる。この形状はさらに、ウエスト開口部の周りでの持続したフィットを改良する一方で、脚部開口部の周りでの皮膚への影響を減らす。ここでの「円周方向」とは、引き上げ装着おむつの組立てられた形状におけるウエスト開口部に沿う方向のことを言う。ここでの「円周」とは、円周方向に沿う引き上げ装着おむつの長さのことを言う。
【００８３】
連続ベルトゾーン３８は、前部延伸性耳部４６及び後部延伸性耳部４８、シャシー４１の一部、及び図１に示されている連続延伸性ウエスト部材６０によって形成されている。連続ベルトゾーンは、連続ベルトゾーンの円周が、引き上げ装着おむつ２０の装着のために延伸されるように延伸性がある、引き上げ装着おむつの部分又はベルト様ゾーンである。引き上げ装着おむつ２０が装着者に装着された時、引き上げ装着おむつ２０は、引き上げ装着おむつ２０の装着を容易にするためにより広いウエスト開口部及びより広い脚部開口部を固定するために延伸されなければならない。連続ベルトゾーン３８は、延伸されうる部分である。連続ベルトゾーン３８は、図１に示されている組立てられた形状において、引き上げ装着おむつ２０のウエスト縁１５１及び１５５、脚部縁１５３及び１５６、前部２６及び後部２８における股部３０の側面方向縁１５９によって取囲まれている。連続ベルトゾーン３８は、一般的には耳パネルにおいて最小の高さを有している。図１に示されているような実施形態において、連続ベルトゾーン３８の最小の高さは、シーム３２に沿って測定される。連続ベルトゾーン３８はまた、脚部開口部３４によって中断されていないが、脚部開口部３４に最も近い、連続最低ライン３５をも有している。連続ベルトゾーン３８は２つの部分を有している。すなわち、連続延伸性ウエスト部材６０がその中まで延びている連続ウエストベルトゾーン３７と、延伸性耳部４６及び４８、及びシャシー４１の一部がその中まで延びている連続下部ベルトゾーン３９とである。好ましい実施形態において、連続ウエストベルトゾーン３７は、連続延伸性ウエスト部材６０と一致する。
【００８４】
図３に示されている引き上げ装着おむつが図１に示されているような組立てられた形状になるような１つの好ましい実施形態において、ウエスト縁１５１及び１５５に沿う連続ベルトゾーン３８の当初円周は、非張力状態において２００ｍｍ〜５００ｍｍ、好ましくは２５０ｍｍ〜４００ｍｍであってもよい。ウエスト縁１５１及び１５５に沿う連続ベルトゾーン３８の円周は、少なくとも６５０ｍｍ、好ましくは少なくとも７００ｍｍ、より好ましくは少なくとも７５０ｍｍ(延伸円周)まで延びる。ライン３５に沿う連続ベルトゾーン３８の円周は、３００ｍｍ〜５５０ｍｍ、好ましくは３５０〜５００ｍｍであってもよい。シーム３２に沿って測定された連続ベルトゾーン３８の最小の高さは、５０ｍｍ〜１５０ｍｍ、好ましくは８０〜１２０ｍｍであってもよい。連続ウエストベルトゾーン３７(すなわち連続延伸性ウエスト部材６０)の高さは、５ｍｍ〜４０ｍｍ、好ましくは１５ｍｍ〜３０ｍｍであってもよい。ライン３５に沿う引き上げ装着おむつ２０の一方の側における延伸性耳部４６及び４８の組合わされた側面方向の長さは、５０ｍｍ〜１２０ｍｍ、好ましくは６０ｍｍ〜１００ｍｍである。
【００８５】
図３に示されている形状を有する引き上げ装着おむつは、組立てられた形状になった時、特に脚部開口部３４の周りで局部的に装着者の皮膚への圧力を低下させる。その理由は、延伸性耳部４６及び４８が、低い方の端縁４６Ｂ及び４８Ｂの近くで、より大きい側面方向の幅(側面方向における有効延伸性)を有するからである。必要であれば、サイドエラストマー材料１２４には、脚部開口部３４の周りで圧力をさらに低下させるために、より低いＳＣＲＦ５０％力を有する材料を用いることができる。しかしながら脚部開口部３４の周りでＳＣＲＦ５０％力を低下させた結果、引き上げ装着おむつ全体について持続したフィットを失うことがある。従って引き上げ装着おむつ全体について持続したフィットを得るために、ウエスト開口部３６の周りで圧力を上げることが必要であることがある。このことは、ウエストバンドパネル６及び７に接合する前に、ウエストエラストマー材料２００のみに予め予備歪を与えることによってなしうる。さらにはウエストエラストマー材料２００には、ウエスト開口部３６の周りで圧力をさらに上げるために、より高いＳＣＲＦ５０％力を有する材料を用いることができる。力分配のこれらの組合わせによって、引き上げ装着おむつは、ウエスト開口部の周りで持続したフィットを得ることができ、脚部開口部の周りで皮膚への紅斑の発生がより少ない。あるいはまた、図３に示されている形状を有する引き上げ装着おむつは、組立てられた形状になった時、脚部開口部３４の周りで持続したフィットを与えることができ、ウエスト開口部の周りでの皮膚への紅斑の発生がより少ない。このことは例えば、ウエスト開口部３６の周りで圧力を低下させるために、ウエストエラストマー材料２００用に、より低いＳＣＲＦ５０％力を有する材料を用いてなしうる。サイドエラストマー材料１２４には、より低いＳＣＲＦ５０％力を有する材料を用いることができる。さらにはサイドエラストマー材料１２４は、耳パネル６及び７に接合する前に予備歪が与えられていてもよい。
【００８６】
図１４は、引き上げ装着おむつ２０のもう１つの実施形態を示す。示されているように、延伸性耳部４６及び４８の外側サイド縁４６Ｄ及び４８Ｄは、長手方向中心線(図１４には示されていない)に平行に延びていてもよく、内側サイド縁４６Ｃ及び４８Ｃに平行である。さらには延伸性耳部４６及び４８は一般に、低い方の端縁４６Ｂ及び４８Ｂの近く及び高い方の端縁４６Ａ及び４８Ａの近くで、側面方向においてエラストマー材料の同じ長さＬ３を有し、従って延伸性耳部４６及び４８は、延伸性耳部４６及び４８において側面方向では一般に同じ有効エラストマー材料の量を供給する。
【００８７】
図１４に示されている引き上げ装着おむつが、組立てられた形状になるもう１つの好ましい実施形態において、ウエスト端縁１５１及び１５５に沿った連続ベルトゾーン３８の当初円周は、非張力状態において２１０ｍｍ〜５１０ｍｍ、好ましくは２６０〜４１０ｍｍであってもよい。ウエスト縁１５１及び１５５に沿う連続ベルトゾーン３８の円周は、少なくとも６５０ｍｍ、好ましくは少なくとも７００ｍｍ、より好ましくは少なくとも７５０ｍｍ(延伸円周)まで延びる。ライン３５に沿う連続ベルトゾーン３８の円周は、３００ｍｍ〜５４０ｍｍ、好ましくは３９０ｍｍ〜４９０ｍｍであってもよい。シーム３２に沿って測定された連続ベルトゾーン３８の最小の高さは、５０ｍｍ〜１５０ｍｍ、好ましくは８０ｍｍ〜１２０ｍｍであってもよい。連続ウエストベルトゾーン３７の高さ(すなわち連続延伸性ウエスト部材６０)は、５ｍｍ〜４０ｍｍ、好ましくは１５ｍｍ〜３０ｍｍであってもよい。ライン３５に沿う引き上げ装着おむつ２０の一方の側における延伸性耳部４６及び４８の組合わされた側面方向の長さは、５０ｍｍ〜１２０ｍｍ、好ましくは６０ｍｍ〜１００ｍｍである。
【００８８】
図１４に示されている形状を有する引き上げ装着おむつは、組立てられた形状になった時、ウエスト開口部の周りで持続したフィットを与えることができ、脚部開口部の周りでの皮膚への紅斑の発生はより少なくなる。これを行なうためには、サイドエラストマー材料１２４は、より低いＳＣＲＦ５０％力を有する材料を用いることができる。これと一致するように、ウエストエラストマー材料２００の力は、より高いＳＣＲＦ５０％力を有する材料を用いることによって高めることもできる。ウエストエラストマー材料２００はまた、この目的のために、ウエストバンドパネル６及び７に接合される前に予備歪されていてもよい。逆に、図１４に示されている形状を有する引き上げ装着おむつは、組立てられた形状になった時、脚部開口部の周りで持続したフィットを与えることができ、ウエスト開口部の周りでの皮膚への紅斑の発生はより少なくなる。これは、ウエストエラストマー材料２００用に、より低いＳＣＲＦ５０％力を有する材料を用いることによって得られる。これと一致するように、サイドエラストマー材料１２４の力は、より高いＳＣＲＦ５０％を有する材料を用いることによって高めることもできる。サイドエラストマー材料１２４はまた、この目的のために耳パネル１０及び１１に接合される前に、予備歪が与えられていてもよい。
【００８９】
図１５は、引き上げ装着おむつ２０のもう１つの実施形態を示す。示されているように、外側サイド縁４６Ｄ及び４８Ｄは、内側サイド縁４６Ｃ及び４８Ｃに平行でなく、長手方向中心線(図１５には示されていない)に平行でない。外側サイド縁４６Ｄ及び４８Ｄは、低い方の端縁４６Ｂ及び４８Ｂの近くで側面方向に外側に突出している。従って延伸性耳部４６及び４８は、低い方の端縁４６Ｂ及び４８Ｂの近くの内側サイド縁４６Ｃ及び４８Ｃと外側サイド縁４６Ｄ及び４８Ｄとの間の側面方向幅Ｌ５と、高い方の端縁４６Ａ及び４８Ａの近くの内側サイド縁４６Ｃ及び４８Ｃと外側サイド縁４６Ｄ及び４８Ｄとの間の側面方向幅Ｌ４とを有している。側面方向幅Ｌ４は、側面方向幅Ｌ５よりも大きく、従って延伸性耳部４６及び４８の側面方向幅(側面方向における有効エラストマー材料の量)は、低い方の端縁４６Ｂ及び４８Ｂの近くよりも高い方の端縁４６Ａ及び４８Ａの近くの方が大きい。高い方の端縁４６Ａ及び４８Ａの近くの延伸性が向上している。さらには延伸性耳部４６及び延伸性耳部４８はどちらも、高い方の端縁４６Ａ及び４８Ａの近くでより大きい側面方向幅(有効エラストマー材料の量)を有するので、側面方向幅(有効エラストマー材料の量)はさらに、延伸性耳部４６と延伸性耳部４８とを組合わせることによって、高い方の端縁４６Ａ及び４８Ａの近くでより大きくなる。延伸性耳部４６と延伸性耳部４８とが接合されている形状において、シーム３２は、長手方向中心線１００に平行でなく、従ってシーム３２は、図１６に示されているように、シーム３２の比較的高い部分３２Ｂの近くで側面方向に外側に突出している。図１６において、ウエストエラストマー材料２００は、ウエストバンドパネル６及び７に接合される前に予備歪が与えられているので、連続延伸性ウエスト部材６０に沿う円周は、すこし収縮されている。ウエストエラストマー材料２００にさらに予備歪が与えられるならば、連続延伸性ウエスト部材６０に沿う円周は、図１７に示されているように延伸性耳部４６及び４８の一部分を通る引き上げ装着おむつ２０の円周よりも小さくなる。その結果、組立てられた形状における引き上げ装着おむつ２０の形状は、図１と図１３に示されている形状と同様なものになることがある。しかしながら高い方の端縁４６Ａ及び４８Ａの近くでより大きい側面方向幅を有する延伸性耳部４６及び４８のもとの形状のために、図１７に示されている引き上げ装着おむつ２０はさらに、高い方の端縁４６Ａ及び４８Ａの近くでより多いエラストマー材料の量を有している。
【００９０】
図１５に示されている引き上げ装着おむつが組立てられた形状になるようなもう１つの好ましい実施形態において、ウエスト端縁１５１及び１５５に沿う連続ベルトゾーン３８の当初円周は、非張力状態において２２０ｍｍ〜５２０ｍｍ、好ましくは２７０ｍｍ〜４２０ｍｍであってもよい。ウエスト端縁１５１及び１５５に沿う連続ベルトゾーン３８の円周は、少なくとも６５０ｍｍ、好ましくは少なくとも７００ｍｍ、より好ましくは少なくとも７５０ｍｍ(延伸円周)まで延びる。ライン３５に沿う連続ベルトゾーン３８の円周は、３００ｍｍ〜５３０ｍｍ、好ましくは３８０〜４８０ｍｍであってもよい。シーム３２に沿って測定された連続ベルトゾーン３８の最小の高さは、５０ｍｍ〜１５０ｍｍ、好ましくは８０〜１２０ｍｍであってもよい。連続ウエストベルトゾーン３７(すなわち連続延伸性ウエスト部材６０)の高さは、５ｍｍ〜４０ｍｍ、好ましくは１５ｍｍ〜３０ｍｍであってもよい。ライン３５に沿う引き上げ装着おむつ２０の一方の側における延伸性耳部４６と４８との組合わされた側面方向の長さは、５０ｍｍ〜１２０ｍｍ、好ましくは６０ｍｍ〜１００ｍｍである。
【００９１】
図１５に示されている形状を有する引き上げ装着おむつは、組立てられた形状になった時、特にウエスト開口部３６の周りで局部的に装着者の皮膚への圧力を低下させる。その理由は、延伸性耳部４６及び４８が、高い方の端縁４６Ａ及び４８Ａの近くで、より大きい側面方向の幅(側面方向における有効エラストマー材料の量)を有するからである。必要であれば、ウエストエラストマー材料２００には、ウエスト開口部３６の周りで圧力をさらに低下させるために、より低いＳＣＲＦ５０％力を有する材料を用いることができる。しかしながらウエスト開口部３６の周りでＳＣＲＦ５０％力を低下させた結果、引き上げ装着おむつ全体に対して持続したフィットを失うことがある。従って引き上げ装着おむつ全体に対して持続したフィットを得るために、脚部開口部３４の周りで圧力を上げる必要があることがある。これは、耳パネル１０及び１１に接合する前に、サイドエラストマー材料１２４のみに予め予備歪を与えることによってなしうる。さらにはサイドエラストマー材料１２４には、脚部開口部３４の周りで圧力をさらに上げるためにより高いＳＣＲＦ５０％力を有する材料を用いることができる。力分配のこれらの組合わせによって、引き上げ装着おむつは、脚部開口部の周りで持続したフィットを得ることができ、ウエスト開口部の周りで皮膚への紅斑の発生がより少ない。あるいはまた、図１５に示されている形状を有する引き上げ装着おむつは、組立てられた形状になった時、ウエスト開口部の周りで持続したフィットを与えることができ、脚部開口部の周りで皮膚への紅斑の発生がより少ない。このことは、例えば脚部開口部３４の周りで圧力を低下させるために、サイドエラストマー材料１２４用により低いＳＣＲＦ５０％力を有する材料を用いてなしうる。ウエストエラストマー材料２００には、より高いＳＣＲＦ５０％力を有する材料を用いることができる。さらにはウエストエラストマー材料２００は、ウエストバンドパネル６及び７に接合する前に予備歪が与えられていてもよい。
【００９２】
連続ベルトゾーン３８は、装着者に配置された時、装着者に引き上げ装着おむつ２０を保持するために、引き上げ装着おむつ２０にフィット力を動的につくり出すのに役立つ。引き上げ装着おむつに持続したフィットを得るためには、連続ベルトゾーン３８によって発生するフィット力がより高いことが好ましいが、比較的高いフィット力を発生させる連続ベルトゾーン３８は、引き上げ装着おむつを装着者に装着するのを難しくさせる。その理由は、引き上げ装着おむつを装着させる人が、比較的広いウエスト開口部及び比較的広い脚部開口部が固定されるように連続ベルトゾーン３８を延伸させるためには、引き上げ装着おむつに対してより高い力を加えなければならないからである。連続ベルトゾーン３８がサイドエラストマー材料１２４とウエストエラストマー材料２００とを備えているので、両方のエラストマー材料は、引き上げ装着おむつを引き上げ装着するプロセスの間延伸されなければならない。従ってサイドエラストマー材料とウエストエラストマー材料とを含む連続ベルトゾーン３８の延伸特性は、単独の連続延伸性ウエスト部材６０のもの及び/又は単独の延伸性耳部４６及び４８のものよりも重要である。但し、単独の連続延伸性ウエスト部材６０及び/又は単独の延伸性耳部４６及び４８の延伸特性も依然として重要ではある。例えば１９９７年２月１１日にKatoらに公開された米国特許第５,６０１,５４７号のような先行技術は、子供のトイレットトレーニングパンツのための、改良された弾性率を備えたウエスト弾性システムを開示している。これは、より快適なフィットと改良された使用しやすさを与える、しかしながらこの公開は、ウエスト弾性システムの改良のみを目的としている。
【００９３】
連続ベルトゾーン３８は、当初延伸(すなわち０％)からの延伸範囲において延伸性がある。延伸は次の方程式：((延伸された円周―当初円周)/当初円周)×１００から計算され、％(パーセント)単位で表示される。連続ベルトゾーン３８の当初円周は、連続ベルトゾーン３８の非張力条件下の円周である。延伸された円周は、連続ベルトゾーン３８の延伸条件下の円周である。比較的幅広い延伸範囲によって、引き上げ装着おむつ２０の装着のために、比較的広いウエスト開口部及び比較的広い脚部開口部を固定させることができる。比較的広い延伸された円周によって、引き上げ装着おむつ２０の装着のために、延伸された引き上げ装着おむつと装着者の体との間に比較的広い空間を固定することができる。連続ベルトゾーン３８の円周は、連続ベルトゾーン３８のウエストボーダーに沿って測定された円周である(すなわち連続延伸性ウエスト部材６０のウエスト縁１５１及び１５５)。
【００９４】
引き上げ装着おむつの装着の容易さ(すなわちより広いウエスト開口部及びより広い脚部開口部)という利点を与えるために、引き上げ装着おむつの連続ベルトゾーン３８の当初円周は、約２２０ｍｍ〜約５００ｍｍであってもよく、引き上げ装着おむつの連続ベルトゾーン３８の延伸された円周は、少なくとも約６５０ｍｍである。より特定すれば、約７ｋｇ〜約１０ｋｇの体重のよちよち歩きの赤ちゃんにフィットするような設計の引き上げ装着おむつの連続ベルトゾーン３８の当初円周は、約２２０ｍｍと約４６０ｍｍの間、好ましくは約２５０ｍｍと約３６０ｍｍの間である。約９ｋｇ〜約１４ｋｇの体重のよちよち歩きの赤ちゃんにフィットするような設計の引き上げ装着おむつの連続ベルトゾーン３８の当初円周は、約２４０ｍｍと約４８０ｍｍの間、好ましくは約２７０ｍｍと約３８０ｍｍの間である。約１３ｋｇ又はそれ以上の体重のよちよち歩きの赤ちゃんにフィットするような設計の引き上げ装着おむつの連続ベルトゾーン３８の当初円周は、約２６０ｍｍと約５００ｍｍの間、好ましくは約２９０ｍｍと約４００ｍｍの間である。約７ｋｇ〜約１０ｋｇの体重のよちよち歩きの赤ちゃんにフィットするような設計の引き上げ装着おむつの連続ベルトゾーン３８の延伸された円周は、少なくとも約６５０ｍｍ、好ましくは約７００ｍｍである。約９ｋｇ〜約１４ｋｇの体重のよちよち歩きの赤ちゃんにフィットするような設計の引き上げ装着おむつの連続ベルトゾーン３８の延伸された円周は、少なくとも約７００ｍｍ、好ましくは約７５０ｍｍである。約１３ｋｇ又はそれ以上の体重のよちよち歩きの赤ちゃんにフィットするような設計の引き上げ装着おむつの連続ベルトゾーン３８の延伸された円周は、少なくとも約７５０ｍｍ、好ましくは約８００ｍｍである。この引き上げ装着おむつは、少なくとも約１２５％の延伸、好ましくは約１３５％、より好ましくは約１５０％までの範囲の延伸を有している。
【００９５】
連続ベルトゾーン３８はまた、この延伸範囲における力対延伸曲線、及びこの延伸範囲における延伸係数を有している。力対延伸曲線は、連続ベルトゾーン３８を延伸させるのに必要な力と、連続ベルトゾーン３８の延伸との関係を表わす。延伸係数は、力の変化対延伸の変化の率を表わし、ｇ/延伸％(グラム/延伸パーセント)の単位で表わされる。延伸係数を得る方法は、次に示されている。比較的高い延伸係数は、連続ベルトゾーン３８を延伸させるための力の変化のより高い率を意味する。延伸係数が劇的に高くなった時、装着させる人は、その部分を延伸限界として認識する。逆に比較的低い延伸係数は、連続ベルトゾーン３８を延伸させるための力の変化のより低い率を意味する。これによって、装着させる人は、より高い力を加えることなく連続ベルトゾーン３８を延伸させることができ、装着させる人は延伸限界を認識しないであろう。従って連続ベルトゾーン３８は、引き上げ装着おむつの装着のためには、延伸された円周においてより低い延伸係数を有している。さらには引き上げ装着おむつの装着のためには、延伸された円周まで引き上げ装着おむつを延伸させるために比較的低い力が好ましい。
【００９６】
引き上げ装着おむつの装着の容易さという利点(すなわち、引き上げ装着おむつの装着のための延伸を得るためのより低い力、及び引き上げ装着おむつの装着のための延伸におけるより低い延伸係数)を与えるために、１２５％の延伸における延伸係数は、約１５０ｇ/延伸％よりも大きくなく、好ましくは約１２０ｇ/延伸％よりも大きくなく、より好ましくは約１００ｇ/延伸％よりも大きくない。１２５％の延伸までの延伸範囲における延伸係数は、好ましくは約１５０ｇ/延伸％よりも大きくなく、より好ましくは約１２０ｇ/延伸％よりも大きくない。１３５％の延伸における延伸係数は、約２００ｇ/延伸％よりも大きくなく、好ましくは約１７５ｇ/延伸％よりも大きくなく、より好ましくは約１５０ｇ/延伸％よりも大きくない。１３５％の延伸までの延伸範囲における延伸係数は、好ましくは約２００ｇ/延伸％よりも大きくなく、より好ましくは約１７５ｇ/延伸％よりも大きくない。１５０％の延伸における延伸係数は、約３００ｇ/延伸％よりも大きくなく、より好ましくは約２５０ｇ/延伸％よりも大きくない。１２５％の延伸を得るための力は、好ましくは約５,０００ｇより大きくなく、より好ましくは約４,５００ｇよりも大きくない。１３５％の延伸を得るための力は、好ましくは約６,０００ｇよりも大きくなく、より好ましくは約５,５００ｇよりも大きくない。１５０％の延伸を得るための力は、好ましくは約９,０００ｇよりも大きくなく、より好ましくは約８,０００ｇよりも大きくない。
【００９７】
図１８は、引き上げ装着おむつの連続ベルトゾーン３８の力対延伸曲線の１つの好ましい実施例を示す。図１９は、図１８に示されている実施例の延伸係数対延伸曲線を示している。連続ベルトゾーン３８の力対延伸曲線、及び延伸係数対延伸曲線を得る方法は、次に示されている。
【００９８】
連続ベルトゾーンの力対延伸曲線及び延伸係数対延伸曲線を得る方法は、次に示されている。この方法は、力対延伸曲線を測定するための「シンテック・テストワークス(Sintech TestWorks)」ソフトウエアパッケージの中に含まれている修正極限引っ張り試験方法である。この測定は基本的には、引き上げ装着おむつを装着者に装着させる時の装着させる人の習慣をシミュレートするように設計されており、この際、インストロン力試験機、及びあごの位置にある２つの水平バーを用いる。これは０ｇからスタートして１０,０００ｇの力又はおむつが破断する時までのものであり、これは連続ベルトゾーンに加えられる極限力を表わしている。この方法は、非張力状態からおむつの極限引っ張りまでの「力対延伸」曲線を生じる。ついで前記のように生じた力対延伸データは、「延伸係数対延伸」に転換することができる。
【００９９】
この試験方法では、下記のようなサンプルの準備が必要である。
(１)試験されるサンプルおむつを袋から取り出す。
(２)測定中におむつをストレッチさせずに、メジャーテープを用いて、おむつのウエスト縁においておむつの内部円周を測定する(非張力おむつ円周)。
【０１００】
この試験方法は次の装置を含んでいる。
(１)引っ張り/サイクル試験機：インストロンモデル５５６４
(２)操作ソフトウエア：シンテック・テストワークス・バージョン３.０
(３)ロードセル：インストロン・スタティック・ロードセル１００Ｎ
(４)あご：上あご及び下あごに水平に取付けられた、２０ｍｍ直径×１５０ｍｍ長さのテフロンコートバー。
【０１０１】
この試験方法は次の設定で実施される。
(１)試験方法：引っ張り
(２)走行速度：２０インチ/分
(３)ゲージ長：上部バー及び下部バーの中心の距離は、下記のように計算される：
(ゲージ長)＝(非張力おむつ円周)/２〜３０ｍｍ
(４)サイクル数：１サイクル
(５)破断感度：７５％
(６)荷重限界：１０,０００ｇ
(７)計算入力：非張力おむつ円周、５００ｇ、１,０００ｇ、２,０００ｇ、３,０００ｇ、４,０００ｇ、５,０００ｇ、６,０００ｇにおける荷重点
(８)計算結果：０ｇ(＝非張力)におけるおむつの円周、５００ｇ、１,０００ｇ、２,０００ｇ、３,０００ｇ、４,０００ｇ、５,０００ｇ、６,０００ｇ、ピーク荷重における荷重点における延伸、ピーク点における荷重(Load at Load)、ピーク荷重における円周。
ある荷重点におけるおむつの円周は、次のように計算される。
(おむつ円周)＝(非張力おむつ円周)＋(延伸)×２
ある荷重点における延伸は、次のように計算される。
(延伸)＝(延伸されたおむつ円周―非張力おむつ円周)/(非張力おむつ円周)。
【０１０２】
試験方法は、次のように実施される。
(１)サンプルおむつ及び測定データを準備する。
(２)前記インストロンの設定に従ってインストロンロードセル及びジョグ(Jog)をセットアップし、ロードセルの目盛り合わせをする(calibrate)。
(３)テストワークスシステムにログインする。
(４)方法リストツールバーから引っ張り試験方法を選び、ついでコントロールパネル、ロードメーター、延伸メーター、及びハンドセットをスクリーン上に表れるようにする。
(５)非張力おむつ円周データを、計算入力におけるゲージ長の中に入れる。
(６)前記ゲージ長設定に従って、ルーラーを用いてゲージ長をセットアップする。
(例：非張力おむつ円周＝３８０ｍｍ→ゲージ長＝３８０/２〜３０＝１６０ｍｍ)
(７)ロードメーターにおける荷重及び延伸メーターにおける延伸をリセットする。
(８)試験される製品を上部バーに載せて製品の重さを測定し、ついで荷重を再びリセットする。
(９)カフス/脚部弾性部がバーに粘着しないようにチェックしながら、サンプルおむつをジョグに載せる。
(１０)おむつをジョグに載せた後は、ロードメーターをリセットしない。
(１１)測定を開始するために「ラン」をクリックする。
(１２)測定がなされたとき、ジョグはそのもとの位置に戻る。
(１３)データを保存するために「ファイル」をクリックして、おむつを取り除く。
(１４)他のサンプルについても工程６〜１３を繰返す。
【０１０３】
データを次のように評価する。
(１)すべてのサンプルについて操作が完了した後、データを適切なスプレッドシートプログラム(すなわちマイクロソフトエクセル)にエクスポートする。
(２)おむつ延伸(％)に対する力(ｇ)をプロットすることによって、「力対延伸曲線」を得る。
(３)２つの連続データ間の力の差を２つの同じ点間の延伸差で割ると、「延伸係数」が得られる。
(４)おむつ延伸(％)に対して工程(３)で得られた延伸係数をプロットすると、「延伸係数対延伸曲線」が得られる。
【０１０４】
前記のように連続ベルトゾーン３８は、装着者に配置された時、引き上げ装着おむつ２０を装着者に維持するために、引き上げ装着おむつ２０にフィット力をつくり出す。連続ベルトゾーン３８はさらに、弾性材料、例えばサイドエラストマー材料１２４とウエストエラストマー材料２００とを備えた延伸ゾーンをも含んでいる。延伸ゾーンはさらに、レッグエラストマー材料を含んでいてもよい。レッグエラストマー材料は、エラストマー材料、例えば図３に示されている弾性ストランド６４を備えている。レッグエラストマー材料は、サイドエラストマー材料１２４又はウエストエラストマー材料２００に用いられている材料を備えていてもよい。ここでの「延伸ゾーン」とは、開口部を備えているか、又は備えていない連続平面層の形態、又は互いに連結されていないストランドの形態を有するエラストマー材料によって延伸性にされた引き上げ装着おむつの連続区域又は連続ゾーンのことを言う。延伸ゾーンは、連続ベルトゾーン３８において皮膚接触圧を実質的に発生させる連続ベルトゾーン３８の部分である。延伸ゾーンによって発生した皮膚接触圧力は、引き上げ装着おむつを装着者に維持するのに役立つ(引き上げ装着おむつの持続したフィット)。延伸ゾーンにおける皮膚接触圧力は、すべての場所で均一でなくてもよい。例えばウエスト開口部の周りと脚部開口部の周りとの間の延伸ゾーンの皮膚接触圧力は、互いに異なっていてもよい。さらには皮膚接触圧力は、おむつの半径方向の円周又はおむつの脚部円周の周りで様々であってもよい。
【０１０５】
延伸ゾーンにおいて、皮膚に対して押付けられるエラストマー材料の弾性要素(例えば図８に示されている複数の第一ストランド１２５及びエラストマースクリム１２４の複数の第二ストランド１２７)は、通常、延伸ゾーンの区域の残りの部分(例えば図８に示されているエラストマースクリムの複数の開口部１３２)よりも高い皮膚接触圧力を発生させる。従って皮膚に押付けられるエラストマー材料の皮膚接触圧力が低くなれば、局部的な皮膚への影響が減少する。
【０１０６】
皮膚に押付けられるエラストマー材料(サイドエラストマー材料及び/又はウエストエラストマー材料)の皮膚接触圧力は、引き上げ装着おむつ２０を装着者に維持するために、約０.１ｐｓｉより小さくなく、好ましくは約０.２ｐｓｉより小さくなく、より好ましくは約０.３ｐｓｉより小さくない方がよい。皮膚に押付けられるエラストマー材料(サイドエラストマー材料及び/又はウエストエラストマー材料)の皮膚接触圧力は、延伸ゾーンにおいて皮膚への影響を引起さないように、約０.７５ｐｓｉよりも大きくなく、好ましくは約０.６５ｐｓｉよりも大きくなく、より好ましくは約０.５５ｐｓｉよりも大きくない方がよい。皮膚に押付けられるエラストマー材料の皮膚接触圧力の前記範囲から選ばれるあらゆる組合わせが、装着者の定位置からの垂れ、たるみ、又は滑り落ちのリスクの減少、延伸ゾーンにおける皮膚への影響のリスクの減少、及びエラストマー材料による皮膚への影響のリスクの減少を引き上げ装着おむつに与える上で効果的である。皮膚に押付けられるエラストマー材料(レッグエラストマー材料)の皮膚接触圧力は、引き上げ装着おむつ２０を装着者に維持するために、約０.１ｐｓｉよりも小さくなく、好ましくは約０.２ｐｓｉよりも小さくなく、より好ましくは約０.３ｐｓｉよりも小さくない方がよい。皮膚に押付けられるエラストマー材料(レッグエラストマー材料)の皮膚接触圧力は、延伸ゾーンにおいて皮膚への影響を引起さないように、約０.７５ｐｓｉよりも大きくなく、好ましくは約０.６５ｐｓｉよりも大きくなく、より好ましくは約０.５５ｐｓｉよりも大きくない方がよい。皮膚に押付けられるエラストマー材料の皮膚接触圧力を得るための方法は、次に示される。
【０１０７】
ウエスト開口部の周りの延伸ゾーン内で皮膚に押付けられるエラストマー材料の皮膚接触圧力は、ウエスト開口部の周りで引き上げ装着おむつの持続したフィットを与えるために、延伸ゾーン内の区域の残りの部分において皮膚に押付けられるエラストマー材料の皮膚接触圧力よりも高くてもよい。脚部開口部の周りの延伸ゾーン内で皮膚に押付けられるエラストマー材料の皮膚接触圧力は、脚部開口部の周りで引き上げ装着おむつの持続したフィットを与えるために、延伸ゾーン内の区域の残りの部分において皮膚に押付けられるエラストマー材料の皮膚接触圧力よりも高くてもよい。延伸ゾーン内でウエスト開口部の周り及び脚部開口部周りで皮膚に押付けられるエラストマー材料の皮膚接触圧力は、延伸ゾーン内の区域の残りの部分において皮膚に押付けられるエラストマー材料の皮膚接触圧力よりも高くてもよい。延伸ゾーン内で皮膚に押付けられるエラストマー材料の最高の皮膚接触圧力と、皮膚に押付けられるエラストマー材料の最低の皮膚接触圧力との差は、約０.６５ｐｓｉ未満、好ましくは約０.４５ｐｓｉ未満、より好ましくは約０.２５ｐｓｉ未満である方がよい。この差がゼロに近くなるほど、延伸ゾーン内で皮膚に押付けられるエラストマー材料の皮膚接触圧力は、すべての場所で均一に近くなる。このことはさらに、異なる圧力によって引起された皮膚への影響を減らすのに役立つ。
【０１０８】
引き上げ装着おむつ２０はさらに、追加のエラストマー材料、例えば内側バリヤーカフス５４の間隔あけ手段５８を備えている。引き上げ装着おむつ２０に組込まれたこれらの追加のエラストマー材料は、装着者の皮膚に対して押付けられる追加のエラストマー材料の、約０.７５piよりも大きくない皮膚接触圧力を与えるのが好ましい。好ましくは装着者の皮膚に対して押付けられる追加のエラストマー材料の皮膚接触圧力は、約０.６５ｐｓｉよりも大きくなく、より好ましくは約０.５５ｐｓｉよりも大きくない。
【０１０９】
延伸ゾーン内で皮膚に対して押付けられるエラストマー材料の皮膚接触圧力を測定する方法は、次に示される。名称が「アミ・エアパック型接触表面圧力測定装置(AMI Air-pack Type Contact Surface Pressure Measurement System)」という方法は、柔らかい材料間に発生した表面接触圧力を測定するために、アミ株式会社(AMI Co., Ltd)によって商品として供給されている。この方法は、おむつと装着者の体との接触圧力を測定するために修正される。示されている空気圧力は、接触表面の力を表わしており、これから、材料の延性によって吸収された力が引き出される。感知部分は、非常に柔らかい薄いフィルムからできているエアパックと、主装置に導入される管とから構成され、測定された値は、ＤＣ出力に転換される(１０ｍＶ＝１ｇｆ/ｃｍ2)。
【０１１０】
この試験方法は、次のサンプルの準備が必要である。
(１)試験されるサンプルおむつをバッグから取り出す。
(２)５０％ストレッチ条件下においてエラストマー材料(すなわち弾性ストランド)の実際のエラストマー要素の幅を測定し、エラストマー要素のパーセント面積(percent area)を計算する。
【０１１１】
名称が「アミ・エアパック型接触表面圧力測定装置」というこの試験方法は、次の装置を含んでいる。
(１)エアパック：アミ株式会社、モデル直径１５ｍｍ
(２)主装置：アミ株式会社、AMI3037-2
(３)オプション装置：アミ株式会社、AMI3037-2B
(４)空気シリンダー：アミ株式会社
(５)キャリブレーションセット：アミ株式会社
(６)データ収集器：アンリツ・メ-ター株式会社(Anritsu Meter Co. Ltd.)、AM-7052
(７)データ転換ソフトウエア：アンリツ・メ-ター株式会社、データ収集器システム、AMS7006WIN ver. 2.0 for Windows
前記のこの試験装置には、次の設定が必要である。
(１)主装置の出力コネクターに出力ケーブルを連結し、出力ケーブルの反対側をデータ収集器に連結する。
(２)電源を入れる。
(３)ギアを用い、エアシリンダーのヘッドを最短の長さで端に押しやる。
(４)エアパックをエアシリンダーに連結する。
(５)ピンをギア上のブルーヘッドの中に挿入し、ピンが端に来るまでギアを回し、３秒間待つ。
(６)エアシリンダー圧力を周囲圧力と同じになるように開放レバーを押し、３秒間待つ。
(７)エアパックと同じ色のギアのホールにピンを挿入し、ピンが端に来るまでギアを回す。
(８)エアパックをエアシリンダーから取り除き、ピンが端に来るまでギアを回す。
(９)主装置からの出力信号が、許容度５ｍＶ(０.５ｇｆ/ｃｍ2)でゼロに近づくかどうかチェックする。
(１０)エアパックを主装置に連結する(連結はただ１つの動作で行なう方がよい。連結をやり直す場合は、エアパックの内部容積を変えなければならない)。
(１１)エアパックからすべての空気を取り除くために、手と指でエアパックを平らに押付け、主装置から送られる出力信号をチェックし、これが最大の測定値であるように注意し、かつこのシステムが最大測定値を超える値を測定することができないように注意する。接触表面があまりに多く曲げられ、主装置からの出力信号が＋２０ｍＶ(２ｇｆ/ｃｍ2)を超えるならば、エアシリンダーを連結し、開放レバーを押す。
(１２)標準的な測定のために少なくとも２つのエアパックを準備する。
【０１１２】
この方法には、次のような標準的マネキンが必要である。
【０１１３】
図２０と図２１に示されている標準的マネキン３５０は、装着者の座った姿勢における体の形状をモデルにしている。標準的マネキン３５０の形状及び寸法は、実際のおむつ使用者から取られた体の寸法のデータをベースとする方がよい。標準的マネキン３５０は、上部部分３５２と下部部分３５４とを有している。上部部分３５２と下部部分３５４とは、胴体下部ライン３８０によって分割されている。胴体下部ライン３８０は、恥骨の上部部分を通る円周ラインである。上部部分３５２は、胴体部分３５３を含んでいる。胴体部分３５３は、ウエストライン３５７によって取囲まれている上部表面３５５を有する(図２２に示されている)。このラインは、胴体部分３５３の上部ウエストの周りの円周ラインである。胴体部分３５３は、ウエストライン３５７と胴体下部ライン３８０との間の高さによって画定された高さを有している。胴体部分３５３の円周は、ウエストライン３５７から胴体下部ライン３８０の方まで徐々に増加する。下部部分３５４は、下部部分３５４の後部におけるヒップ部分３５６と、下部部分３５４の前部においてヒップ部分３５６から突出している脚部分３５８とを含んでいる。ヒップ部分３５６と脚部分３５８とは、体の前部において分厚い折り目(fat fold)に沿う股部折り目ライン３５９によって分割されている。２つの脚部分３５８は、股部角度３６２を有しており、これは内側大腿部３６４間の互いに対する(subtend)角度である。脚部分３５８は、大腿部ライン３６６を有しており、これは、脚部分３５８の大腿部の周りの円周ラインである。上部表面３５５は、直線及び曲線を備えたウエストライン３５７によって取り囲まれた形状を有している。図２２は、実際の装着者の寸法をベースとして決定された上部表面３５５の形状の１つの好ましい例を示している。標準的マネキンは塩化ビニル製である。
【０１１４】
約７.０ｋｇ〜約１０.０ｋｇの体重の装着者にフィットするように設計されたおむつのための標準的マネキンの実際寸法は、下記に示されている。
ウエストラインにおける円周：４６０ｍｍ
胴体下部ラインにおける円周：４７０ｍｍ
股部折り目ラインにおける円周：３１０ｍｍ
大腿部ラインにおける円周：２７５ｍｍ
胴体部の高さ：７５ｍｍ
股部角度：約６０°
約９.０ｋｇ〜約１４.０ｋｇの体重の装着者にフィットするように設計されたおむつのための標準的マネキンの実際寸法は、下記に示されている。
ウエストラインにおける円周：４９５ｍｍ
胴体下部ラインにおける円周：５０５ｍｍ
股部折り目ラインにおける円周：３３０ｍｍ
大腿部ラインにおける円周：２９０ｍｍ
胴体部の高さ：８０ｍｍ
股部角度：約６０°
約１３.０ｋｇ又はそれ以上の体重の装着者にフィットするように設計されたおむつのための標準的マネキンの実際寸法は、下記に示されている。
ウエストラインにおける円周：５２０ｍｍ
胴体下部ラインにおける円周：５３０ｍｍ
股部折り目ラインにおける円周：３５０ｍｍ
大腿部ラインにおける円周：３０５ｍｍ
胴体部の高さ：８５ｍｍ
股部角度：約６０°
ウエストエラストマー材料及びサイドエラストマー材料についての測定点は、下記のように測定される。
【０１１５】
点Ｐ１は、胴体部分の右側におけるウエスト湾曲ラインの最小半径の地点である。点Ｐ２は、胴体部分の左側におけるウエスト湾曲ラインの最小半径の地点である。点Ｐ３は、胴体部分の後部の中心における地点である。点Ｐ４は、胴体部分の前部の中心における地点である。測定点Ｐ１、Ｐ２、Ｐ３、及びＰ４のためのエアパックは、ウエストラインの約１０ｍｍ下に取付けられる方がよく、サンプルおむつのウエスト材料によって完全に覆われる方がよい。点Ｐ５は、右脚部分の前部における地点であり、点Ｐ６は、左脚部分の前部における地点である。測定点Ｐ５及びＰ６のためのエアパックは、マネキンの脚部分と接触するエラストマー材料のすぐ下に取付けられる方がよい。
【０１１６】
脚部エラストマー材料についての測定点は、エラストマー材料が標準的マネキンの皮膚に押付けられている地点である。
【０１１７】
この方法は下記のように実施される。
(１)前記設定に従って圧力測定装置をセットアップする。
(２)サンプルおむつを準備して、このおむつを標準的マネキンに取付ける。
(３)２つのエアパックを点Ｐ１及びＰ２に置き、圧力を測定する。
(４)圧力測定データを記録し、圧力信号が許容度５ｍＶ(０.５ｇｆ/ｃｍ2)でゼロ近くまで回復するかどうかをチェックする。
(５)２つのエアパックを点Ｐ３及びＰ４に置き、圧力を測定する。
(６)圧力測定データを記録し、圧力信号が許容度５ｍＶ(０.５ｇｆ/ｃｍ2)でゼロ近くまで回復するかどうかをチェックする。
(７)２つのエアパックを点Ｐ５及びＰ６に置き、圧力を測定する。
(８)圧力測定データを記録し、圧力信号が許容度５ｍＶ(０.５ｇｆ/ｃｍ2)でゼロ近くまで回復するかどうかをチェックする。
(９)１つのサンプルおむつについて工程２〜８を繰返す。
【０１１８】
データを次のように評価する。
(１)「延伸ゾーン内の局部的平均皮膚接触圧力」は、測定された電圧をｐｓｉに転換することによって得られる(１０ｍＶ＝１ｇｍ/ｃｍ2)。
(２)ついで「皮膚に押付けられるエラストマー材料の皮膚接触圧力」は、上で得られた「延伸ゾーン内の局部的平均皮膚接触圧力」を、エラストマー要素のパーセント面積で割って得られる(ｐｓｉ)。
【０１１９】
ここに記載されている実施例及び実施形態は、例証のみを目的とするものであり、様々な修正又は変更は、本発明の範囲から逸脱することなく、当業者に示唆されると理解される。
【図面の簡単な説明】
【図１】  図１は、典型的な使用中の形状における本発明の使い捨て引き上げ装着衣類の好ましい実施形態の斜視図である。
【図２】  図２は、継ぎ合わされていない平らな非収縮状態にある、本発明の使い捨て引き上げ装着衣類の簡略平面図であり、この衣類の様々なパネルを示している。
【図３】  図３は、継ぎ合わされていない平らな非収縮状態にある、図１に示されている実施形態の簡略平面図である。
【図４】  図４は、図３の実施形態の概略簡略平面図であり、トップシート、バックシート、及びこれらの間にある吸収性コアを備えたシャシーを示しており、これは引き上げ装着衣類のその他の要素が取り除かれている。
【図５】  図５は、図３の断面線４-４に沿う好ましい実施形態の横断面図である。
【図６】  図６は、図３の実施形態の概略簡略平面図であり、延伸性耳部と延伸性ウエストバンドとを有する使い捨て引き上げ装着衣類を示している。
【図７】  図７は、図３の断面線６-６に沿う好ましい実施形態の横断面図である。
【図８】  図８は、好ましい実施形態の弾性部材の横断面斜視図である。
【図９】  図９は、図５に示されている弾性部材の断片拡大側面図である。
【図１０】  図１０は、好ましい実施形態におけるエラストマー材料のヒステリシス曲線の２つの連続サイクルを示すグラフである。
【図１１】  図１１は、エラストマー材料のもう１つの実施形態の拡大された一部セグメント斜視図である。
【図１２】  図１２は、図３の断面線６-６に沿うもう１つの実施形態の横断面図である。
【図１３】  図１３は、図１に示されている実施形態の正面図である。
【図１４】  図１４は、延伸性耳部と延伸性ウエストバンドとを有する使い捨て引き上げ装着衣類のもう１つの実施形態の概略簡略平面図である。
【図１５】  図１５は、延伸性耳部と延伸性ウエストバンドとを有する使い捨て引き上げ装着衣類のもう１つの実施形態の概略簡略平面図である。
【図１６】  図１６は、図１５に示されている使い捨て引き上げ装着衣類の組立てられた形状の正面図である。
【図１７】  図１７は、図１５に示されている使い捨て引き上げ装着衣類の組立てられた形状のもう１つの実施形態の正面図である。
【図１８】  図１８は、本発明の使い捨て引き上げ装着衣類の連続ベルトゾーンの力対延伸曲線を示している。
【図１９】  図１９は、図１８に示されている力対延伸曲線から得られた延伸係数対延伸曲線を示している。
【図２０】  図２０は、皮膚接触圧力を測定するために用いられている標準的マネキンの斜視図である。
【図２１】  図２１は、図２０に示されている標準的マネキンの側面図である。
【図２２】  図２２は、図２０に示されている標準的マネキンの上面図である。
【図１】
0004511038.tif 000002
【図２】
0004511038.tif 000003
【図３】
0004511038.tif 000004
【図４】
0004511038.tif 000005
【図５】
0004511038.tif 000006
【図６】
0004511038.tif 000007
【図７】
0004511038.tif 000008
【図８】
0004511038.tif 000009
【図９】
0004511038.tif 000010
【図１０】
0004511038.tif 000011
【図１１】
0004511038.tif 000012
【図１２】
0004511038.tif 000013
【図１３】
0004511038.tif 000014
【図１４】
0004511038.tif 000015
【図１５】
0004511038.tif 000016
【図１６】
0004511038.tif 000017
【図１７】
0004511038.tif 000018
【図１８】
0004511038.tif 000019
【図１９】
0004511038.tif 000020
【図２０】
0004511038.tif 000021
【図２１】
0004511038.tif 000022
【図２２】
0004511038.tif 000023